(57)【要約】【課題】印刷機に装着されるアルミニウム板を最適な再使用回数で繰り返して使用することで、二酸化炭素の排出量を削減することができるアルミニウム板管理システムおよびアルミニウム板管理方法を提供する。【解決手段】アルミニウム板管理システム１０において管理コンピュータ１１は、アルミニウム板を印刷機に装着して印刷を行った度毎に、そのアルミニウム板の再使用済回数に１回を加算し、アルミニウム板の再使用可能回数とアルミニウム板の再使用済回数とを比較し、再使用済回数が再使用可能回数未満の場合にそのアルミニウム板の次回の再使用を可とし、再使用済回数が再使用可能回数に達している場合にそのアルミニウム板の次回の再使用を不可とする。【選択図】図１
2012000914.tif 000002
【特許請求の範囲】
【請求項１】
印刷機に着脱可能に装着される各種複数のアルミニウム板を管理するアルミニウム板管理システムにおいて、
前記アルミニウム板管理システムが、前記アルミニウム板を個別に識別する板識別子を表すバーコードを該アルミニウム板の一面に表示するバーコードプリンタと、前記アルミニウム板に表示された前記バーコードを読み取るバーコードスキャナと、それらアルミニウム板を管理する管理者側に設置された管理コンピュータとから形成され、
前記管理コンピュータが、前記バーコードに対応した板識別子を記憶する板識別子記憶手段と、それらアルミニウム板のあらかじめ設定された再使用可能回数を前記板識別子に対応させて記憶する再使用可能回数記憶手段と、前記バーコードスキャナから出力された板識別子に基づいてそれらアルミニウム板を個別に特定する板特定手段と、前記板特定手段によって特定されたアルミニウム板を前記印刷機に装着して印刷を行った度毎に、そのアルミニウム板の再使用済回数に１回を加算し、加算した再使用済回数を前記板識別子に対応させて記憶する再使用済回数更新手段と、前記板特定手段によって特定されたアルミニウム板の再使用可能回数と再使用済回数とを比較する回数比較手段と、前記再使用済回数が前記再使用可能回数未満の場合にそのアルミニウム板の次回の再使用を可とし、前記再使用済回数が前記再使用可能回数に達している場合にそのアルミニウム板の次回の再使用を不可とする再使用可否判断手段とを有することを特徴とするアルミニウム板管理システム。
【請求項２】
前記管理コンピュータが、各アルミニウム板に設定された再使用可能回数を変更する再使用可能回数変更手段と、前記再使用可能回数変更手段によって変更された再使用可能回数を前記板識別子に対応させて記憶する変更後の再使用可能回数記憶手段とを含む請求項１に記載のアルミニウム板管理システム。
【請求項３】
前記管理コンピュータが、前記再使用可能回数を前記板識別子に対応する各アルミニウム板毎に出力する再使用可能回数出力手段と、前記再使用済回数を前記板識別子に対応する各アルミニウム板毎に出力する再使用済回数出力手段と、前記再使用可否判断手段によって判断した再使用可否情報を前記板識別子に対応する各アルミニウム板毎に出力する再使用可否情報出力手段とを含む請求項１または請求項２に記載のアルミニウム板管理システム。
【請求項４】
前記管理コンピュータが、前記アルミニウム板を１回再使用することから削減される該アルミニウム板の二酸化炭素削減量を前記板識別子に対応させて記憶する二酸化炭素削減量記憶手段と、前記板特定手段によって特定されたアルミニウム板を前記印刷機に装着して印刷を行った度毎に、そのアルミニウム板の二酸化炭素削減量を積算し、積算したアルミニウム板の第１積算削減量を前記板識別子に対応させて記憶する第１積算削減量更新手段と、前記アルミニウム板を１回再使用することから削減される二酸化炭素削減量を前記板識別子に対応する各アルミニウム板毎に出力する二酸化炭素削減量出力手段と、前記第１積算削減量更新手段によって記憶した第１積算削減量を前記板識別子に対応する各アルミニウム板毎に出力する第１積算削減量出力手段とを含む請求項３に記載のアルミニウム板管理システム。
【請求項５】
前記管理コンピュータが、前記アルミニウム板の板サイズを前記板識別子に対応させて記憶する板サイズ記憶手段と、前記アルミニウム板の最初の出荷日時を前記板識別子に対応させて記憶する出荷日時記憶手段と、前記板サイズを前記板識別子に対応する各アルミニウム板毎に出力する板サイズ出力手段と、前記出荷日時を前記板識別子に対応する各アルミニウム板毎に出力する出荷日時出力手段とを含む請求項１ないし請求項４いずれかに記載のアルミニウム板管理システム。
【請求項６】
前記管理コンピュータが、前記アルミニウム板を使用して所定の印刷物を製作する複数の中間ユーザの中間ユーザ名およびそれら中間ユーザ名を識別する中間ユーザ識別子を含む中間ユーザ情報を前記板識別子に対応させて記憶する中間ユーザ情報記憶手段と、前記板識別子に基づいてそれら中間ユーザ名毎の二酸化炭素削減量を積算し、積算した各中間ユーザ名毎の第２積算削減量を前記中間ユーザ識別子に対応させて記憶する第２積算削減量更新手段と、前記第２積算削減量更新手段によって記憶した第２積算削減量を前記中間ユーザ識別子に対応するそれら中間ユーザ名毎に出力する第２積算削減量出力手段とを含む請求項４または請求項５に記載のアルミニウム板管理システム。
【請求項７】
前記管理コンピュータが、前記中間ユーザに所定の印刷物を依頼する複数のエンドユーザのエンドユーザ名およびそれらエンドユーザ名を識別するエンドユーザ識別子を含むエンドユーザ情報を前記板識別子に対応させて記憶するエンドユーザ情報記憶手段と、前記板識別子に基づいてそれらエンドユーザ名毎の二酸化炭素削減量を積算し、積算した各エンドユーザ名毎の第３積算削減量を前記エンドユーザ識別子に対応させて記憶する第３積算削減量更新手段と、前記第３積算削減量更新手段によって記憶した第３積算削減量を前記エンドユーザ識別子に対応するそれらエンドユーザ名毎に出力する第３積算削減量出力手段とを含む請求項４ないし請求項６いずれかに記載のアルミニウム板管理システム。
【請求項８】
前記管理コンピュータが、前記アルミニウム板を装着するそれら印刷機の機器名およびそれら機器名を識別する機器識別子を含む機器情報を前記板識別子に対応させて記憶する機器情報記憶手段と、前記板識別子に基づいてそれら機器名毎の二酸化炭素削減量を積算し、積算した各機器名毎の第４積算削減量を前記機器識別子に対応させて記憶する第４積算削減量更新手段と、前記第４積算削減量更新手段によって記憶した第４積算削減量を前記機器識別子に対応するそれら機器名毎に出力する第４積算削減量出力手段とを含む請求項４ないし請求項７いずれかに記載のアルミニウム板管理システム。
【請求項９】
前記アルミニウム板管理システムが、前記中間ユーザ側に設置された中間ユーザコンピュータを含み、前記管理コンピュータと前記中間ユーザコンピュータとがネットワークを介して接続され、前記中間ユーザコンピュータが前記中間ユーザ識別子に対応する中間ユーザ名の第２積算削減量を出力する中間ユーザデータ出力手段を有する請求項６に記載のアルミニウム板管理システム。
【請求項１０】
前記アルミニウム板管理システムが、前記エンドユーザ側に設置されたエンドユーザコンピュータを含み、前記管理コンピュータと前記エンドユーザコンピュータとがネットワークを介して接続され、前記エンドユーザコンピュータが前記エンドユーザ識別子に対応するエンドユーザ名の第３積算削減量を出力するエンドユーザデータ出力手段を有する請求項７に記載のアルミニウム板管理システム。
【請求項１１】
前記バーコードが、一次元バーコードであってアルミニウム板の筋目に対して４５度傾斜した状態で該アルミニウム板の一面に表示されている請求項１ないし請求項１０いずれかに記載のアルミニウム板管理システム。
【請求項１２】
印刷機に着脱可能に装着される各種複数のアルミニウム板を管理する管理者側に設置された管理コンピュータと、前記アルミニウム板を個別に識別する板識別子を表すバーコードを該アルミニウム板の一面に表示するバーコードプリンタと、前記アルミニウム板に表示された前記バーコードを読み取るバーコードスキャナとを備え、
前記管理コンピュータが、前記バーコードに対応した板識別子を記憶する板識別子記憶プロセスと、それらアルミニウム板のあらかじめ設定された再使用可能回数を前記板識別子に対応させて記憶する再使用可能回数記憶プロセスと、前記バーコードスキャナから出力された板識別子に基づいてそれらアルミニウム板を個別に特定する板特定プロセスと、前記板特定プロセスによって特定されたアルミニウム板を前記印刷機に装着して印刷を行った度毎に、そのアルミニウム板の再使用済回数に１回を加算し、加算した再使用済回数を前記板識別子に対応させて記憶する再使用済回数更新プロセスと、前記板特定プロセスによって特定されたアルミニウム板の再使用可能回数と再使用済回数とを比較する回数比較プロセスと、前記再使用済回数が前記再使用可能回数未満の場合にそのアルミニウム板の次回の再使用を可とし、前記再使用済回数が前記再使用可能回数に達している場合にそのアルミニウム板の次回の再使用を不可とする再使用可否判断プロセスとを実行することを特徴とするアルミニウム板管理方法。
【請求項１３】
前記管理コンピュータが、各アルミニウム板に設定された再使用可能回数を変更する再使用可能回数変更プロセスと、前記再使用可能回数変更プロセスによって変更された再使用可能回数を前記板識別子に対応させて記憶する変更後の再使用可能回数記憶プロセスとを実行する請求項１２に記載のアルミニウム板管理方法。
【請求項１４】
前記管理コンピュータが、前記再使用可能回数を前記板識別子に対応する各アルミニウム板毎に出力する再使用可能回数出力プロセスと、前記再使用済回数を前記板識別子に対応する各アルミニウム板毎に出力する再使用済回数出力プロセスと、前記再使用可否判断プロセスによって判断した再使用可否情報を前記板識別子に対応する各アルミニウム板毎に出力する再使用可否情報出力プロセスとを実行する請求項１２または請求項１３に記載のアルミニウム板管理方法。
【請求項１５】
前記管理コンピュータが、前記アルミニウム板を１回再使用することから削減される該アルミニウム板の二酸化炭素削減量を前記板識別子に対応させて記憶する二酸化炭素削減量記憶プロセスと、前記板特定プロセスによって特定されたアルミニウム板を前記印刷機に装着して印刷を行った度毎に、そのアルミニウム板の二酸化炭素削減量を積算し、積算したアルミニウム板の第１積算削減量を前記板識別子に対応させて記憶する第１積算削減量更新プロセスと、前記アルミニウム板を１回再使用することから削減される二酸化炭素削減量を前記板識別子に対応する各アルミニウム板毎に出力する二酸化炭素削減量出力プロセスと、前記第１積算削減量更新プロセスによって記憶した第１積算削減量を前記板識別子に対応する各アルミニウム板毎に出力する第１積算削減量出力プロセスとを実行する請求項１４に記載のアルミニウム板管理方法。
【請求項１６】
前記管理コンピュータが、前記アルミニウム板の板サイズを前記板識別子に対応させて記憶する板サイズ記憶プロセスと、前記アルミニウム板の最初の出荷日時を前記板識別子に対応させて記憶する出荷日時記憶プロセスと、前記板サイズを前記板識別子に対応する各アルミニウム板毎に出力する板サイズ出力プロセスと、前記出荷日時を前記板識別子に対応する各アルミニウム板毎に出力する出荷日時出力プロセスとを実行する請求項１２ないし請求項１５いずれかに記載のアルミニウム板管理方法。
【請求項１７】
前記管理コンピュータが、前記アルミニウム板を使用して所定の印刷物を製作する複数の中間ユーザの中間ユーザ名およびそれら中間ユーザ名を識別する中間ユーザ識別子を含む中間ユーザ情報を前記板識別子に対応させて記憶する中間ユーザ情報記憶プロセスと、前記板識別子に基づいてそれら中間ユーザ名毎の二酸化炭素削減量を積算し、積算した各中間ユーザ名毎の第２積算削減量を前記中間ユーザ識別子に対応させて記憶する第２積算削減量更新プロセスと、前記第２積算削減量更新プロセスによって記憶した第２積算削減量を前記中間ユーザ識別子に対応するそれら中間ユーザ名毎に出力する第２積算削減量出力プロセスとを実行する請求項１５または請求項１６に記載のアルミニウム板管理方法。
【請求項１８】
前記管理コンピュータが、前記中間ユーザに所定の印刷物を依頼する複数のエンドユーザのエンドユーザ名およびそれらエンドユーザ名を識別するエンドユーザ識別子を含むエンドユーザ情報を前記板識別子に対応させて記憶するエンドユーザ情報記憶プロセスと、前記板識別子に基づいてそれらエンドユーザ名毎の二酸化炭素削減量を積算し、積算した各エンドユーザ名毎の第３積算削減量を前記エンドユーザ識別子に対応させて記憶する第３積算削減量更新プロセスと、前記第３積算削減量更新プロセスによって記憶した第３積算削減量を前記エンドユーザ識別子に対応するそれらエンドユーザ名毎に出力する第３積算削減量出力プロセスとを実行する請求項１５ないし請求項１７いずれかに記載のアルミニウム板管理方法。
【請求項１９】
前記管理コンピュータが、前記アルミニウム板を装着するそれら印刷機の機器名およびそれら機器名を識別する機器識別子を含む機器情報を前記板識別子に対応させて記憶する機器情報記憶プロセスと、前記板識別子に基づいてそれら機器名毎の二酸化炭素削減量を積算し、積算した各機器名毎の第４積算削減量を前記機器識別子に対応させて記憶する第４積算削減量更新プロセスと、前記第４積算削減量更新プロセスによって記憶した第４積算削減量を前記機器識別子に対応するそれら機器名毎に出力する第４積算削減量出力プロセスとを実行する請求項１５ないし請求項１８いずれかに記載のアルミニウム板管理方法。
【請求項２０】
前記アルミニウム板管理方法が、前記中間ユーザ側に設置された中間ユーザコンピュータを備え、前記管理コンピュータと前記中間ユーザコンピュータとがネットワークを介して接続され、前記中間ユーザコンピュータが前記中間ユーザ識別子に対応する中間ユーザ名の第２積算削減量を出力する中間ユーザデータ出力プロセスを実行する請求項１７に記載のアルミニウム板管理方法。
【請求項２１】
前記アルミニウム板管理方法が、前記エンドユーザ側に設置されたエンドユーザコンピュータを備え、前記管理コンピュータと前記エンドユーザコンピュータとがネットワークを介して接続され、前記エンドユーザコンピュータが前記エンドユーザ識別子に対応するエンドユーザ名の第３積算削減量を出力するエンドユーザデータ出力プロセスを実行する請求項１８に記載のアルミニウム板管理方法。
【発明の詳細な説明】
【技術分野】
【０００１】
本発明は、各種の印刷機に着脱可能に装着される各種複数のアルミニウム板を管理するアルミニウム板管理システムおよびアルミニウム板管理方法に関する。
【背景技術】
【０００２】
オフセット印刷に代表される平版印刷では、印刷版の基材として厚さ０．１〜０．３ｍｍの平板状のアルミニウム板が使用される。印刷版としては、アルミニウム板の表面に感光層を形成し、感光層の上にネガフィルムあるいはポジフィルムを乗せてその上から光を当てて露光することによって印刷版としたＰＳ版がある。また、アルミニウム板の表面に直接レーザー光を照射して印刷版としたＣＴＰ版がある。それら印刷版は、印刷機に設置される版胴と呼ばれるドラム状の部品に巻装されて使用される。印刷機では、版胴の回転速度と紙やフィルム等の印刷媒体の送り量（送り速度）とを同期させることで、多量の印刷物を刷ることができる。
【０００３】
ところで、平版印刷において印刷版の表面の非画像部には、インクが付着しないように均一な水膜を形成する必要がある。そのため、アルミニウム板の表面には、常に安定した親水性が要求される。安定した親水性を確保するためには、アルミニウムの純度を９９．５％以上にすることが要求されるとともに、アルミニウム板の表面に砂目たてや陽極酸化等の処理を施す必要がある。その要求を満たすため、一度印刷に用いたアルミニウム板は、原則として印刷板として再使用されることはない。
【０００４】
特許文献１には、使用済みのアルミニウム板を溶解し、圧延して印刷版用のアルミニウム板を製造する方法が開示されている。しかし、アルミニウム板を溶解し、圧延するには多量の二酸化炭素が排出されるのみならず、アルミニウムの純度の調節が難しく、この方法は実用に適さず、印刷版には常に新しいアルミニウム板が使用されているのが現状である。なお、新しいアルミニウム板は、ボーキサイトから作られたバージンアルミニウムから製造される。ゆえに、その製造工程において非常に多くの二酸化炭素が排出される。
【０００５】
一方、アルミニウム板の親水化処理の煩雑性の改善や親水性の安定化を目的として、たとえば特許文献２には非画像部に親水性樹脂を用いた印刷版が開示され、特許文献３には非画像部に親水性樹脂を用い、かつ、現像レスのＣＰＴ版が開示されている。それらによれば、支持体にアルミニウム板を使用したとしても、一度使用したアルミニウム板の表面に形成された画像を除去した後、そのアルミニウム板を再使用することができる。
【先行技術文献】
【特許文献】
【０００６】
【特許文献１】特許第３４２０８１７号公報
【特許文献２】特開平０８−２９２５５８号公報
【特許文献３】特開２００１−４７７５５号公報
【発明の概要】
【発明が解決しようとする課題】
【０００７】
アルミニウム板は、上述したように、印刷機の円柱状の版胴に巻装されて使用されるが、その際、アルミニウム板の両端部が所定の角度に折り曲げられ、折り曲げられた両端部が版胴に形成された支持スリットに差し込まれる。印刷終了後に版胴から取り外されたアルミニウム板を再使用するには、折り曲げられた両端部を折り返して直状に直さなければならない。アルミニウム板の両端部の折り曲げと折り返しとを繰り返すと、引張応力や圧縮応力によって両端部が金属疲労を起こし、端部の強度が次第に低下する。両端部の強度が低下すると、版胴への再装着時に端部が折損したり、印刷中にアルミニウム板が版胴から外れてしまう不具合が生じ、印刷時におけるトラブルの原因となる場合がある。そのため、特許文献１や特許文献２に開示された印刷版において用いられる支持体としてのアルミニウム板はその再使用が可能であるとしても、両端部の金属疲労を考慮してそれを印刷版として再使用することはなく、新しいアルミニウム板が使用されている。このように、従来は仕様済みのアルミニウム板を再使用せず、資源の無駄が生じていたのみならず、新しいアルミニウム板を製造する際に多量の二酸化炭素が発生し、二酸化炭素の削減に寄与することができなかった。
【０００８】
本発明の目的は、印刷機に装着されるアルミニウム板を最適な再使用回数で繰り返して使用することで、再使用されないことによる資源の無駄を省き、二酸化炭素の排出量を削減することができるアルミニウム板管理システムおよびアルミニウム板管理方法を提供することにある。
【課題を解決するための手段】
【０００９】
前記課題を解決するための本発明の前提は、印刷機に着脱可能に装着される各種複数のアルミニウム板を管理するアルミニウム板管理システムである。
【００１０】
前記前提における本発明のアルミニウム板管理システムの特徴としては、アルミニウム板管理システムが、アルミニウム板を個別に識別する板識別子を表すバーコードをアルミニウム板の一面に表示するバーコードプリンタと、アルミニウム板に表示されたバーコードを読み取るバーコードスキャナと、それらアルミニウム板を管理する管理者側に設置された管理コンピュータとから形成され、管理コンピュータが、バーコードに対応した板識別子を記憶する板識別子記憶手段と、それらアルミニウム板のあらかじめ設定された再使用可能回数を板識別子に対応させて記憶する再使用可能回数記憶手段と、バーコードスキャナから出力された板識別子に基づいてそれらアルミニウム板を個別に特定する板特定手段と、板特定手段によって特定されたアルミニウム板を印刷機に装着して印刷を行った度毎に、そのアルミニウム板の再使用済回数に１回を加算し、加算した再使用済回数を板識別子に対応させて記憶する再使用済回数更新手段と、板特定手段によって特定されたアルミニウム板の再使用可能回数と再使用済回数とを比較する回数比較手段と、再使用済回数が再使用可能回数未満の場合にそのアルミニウム板の次回の再使用を可とし、再使用済回数が再使用可能回数に達している場合にそのアルミニウム板の次回の再使用を不可とする再使用可否判断手段とを有することにある。
【００１１】
本発明のアルミニウム板管理システムの一例としては、管理コンピュータが、各アルミニウム板に設定された再使用可能回数を変更する再使用可能回数変更手段と、再使用可能回数変更手段によって変更された再使用可能回数を板識別子に対応させて記憶する変更後の再使用可能回数記憶手段とを有する。
【００１２】
本発明のアルミニウム板管理システムの他の一例としては、管理コンピュータが、再使用可能回数を板識別子に対応する各アルミニウム板毎に出力する再使用可能回数出力手段と、再使用済回数を板識別子に対応する各アルミニウム板毎に出力する再使用済回数出力手段と、再使用可否判断手段によって判断した再使用可否情報を板識別子に対応する各アルミニウム板毎に出力する再使用可否情報出力手段とを有する。
【００１３】
本発明のアルミニウム板管理システムの他の一例としては、管理コンピュータが、再使用されるアルミニウム板を１回使用することから削減されるアルミニウム板の二酸化炭素削減量を板識別子に対応させて記憶する二酸化炭素削減量記憶手段と、板特定手段によって特定されたアルミニウム板を印刷機に装着して印刷を行った度毎に、そのアルミニウム板の二酸化炭素削減量を積算し、積算したアルミニウム板の第１積算削減量を板識別子に対応させて記憶する第１積算削減量更新手段と、再使用されるアルミニウム板を１回使用することから削減される二酸化炭素削減量を板識別子に対応する各アルミニウム板毎に出力する二酸化炭素削減量出力手段と、第１積算削減量更新手段によって記憶した第１積算削減量を前記板識別子に対応する各アルミニウム板毎に出力する第１積算削減量出力手段とを有する。
【００１４】
本発明のアルミニウム板管理システムの他の一例としては、管理コンピュータが、アルミニウム板の板サイズを板識別子に対応させて記憶する板サイズ記憶手段と、アルミニウム板の最初の出荷日時を板識別子に対応させて記憶する出荷日時記憶手段と、板サイズを板識別子に対応する各アルミニウム板毎に出力する板サイズ出力手段と、出荷日時を板識別子に対応する各アルミニウム板毎に出力する出荷日時出力手段とを有する。
【００１５】
本発明のアルミニウム板管理システムの他の一例としては、管理コンピュータが、アルミニウム板を使用して所定の印刷物を製作する複数の中間ユーザの中間ユーザ名およびそれら中間ユーザ名を識別する中間ユーザ識別子を含む中間ユーザ情報を板識別子に対応させて記憶する中間ユーザ情報記憶手段と、板識別子に基づいてそれら中間ユーザ名毎の二酸化炭素削減量を積算し、積算した各中間ユーザ名毎の第２積算削減量を中間ユーザ識別子に対応させて記憶する第２積算削減量更新手段と、第２積算削減量更新手段によって記憶した第２積算削減量を中間ユーザ識別子に対応するそれら中間ユーザ名毎に出力する第２積算削減量出力手段とを有する。
【００１６】
本発明のアルミニウム板管理システムの他の一例としては、管理コンピュータが、中間ユーザに所定の印刷物を依頼する複数のエンドユーザのエンドユーザ名およびそれらエンドユーザ名を識別するエンドユーザ識別子を含むエンドユーザ情報を板識別子に対応させて記憶するエンドユーザ情報記憶手段と、板識別子に基づいてそれらエンドユーザ名毎の二酸化炭素削減量を積算し、積算した各エンドユーザ名毎の第３積算削減量をエンドユーザ識別子に対応させて記憶する第３積算削減量更新手段と、第３積算削減量更新手段によって記憶した第３積算削減量をエンドユーザ識別子に対応するそれらエンドユーザ名毎に出力する第３積算削減量出力手段とを有する。
【００１７】
本発明のアルミニウム板管理システムの他の一例としては、管理コンピュータが、アルミニウム板を装着するそれら印刷機の機器名およびそれら機器名を識別する機器識別子を含む機器情報を板識別子に対応させて記憶する機器情報記憶手段と、板識別子に基づいてそれら機器名毎の二酸化炭素削減量を積算し、積算した各機器名毎の第４積算削減量を機器識別子に対応させて記憶する第４積算削減量更新手段と、第４積算削減量更新手段によって記憶した第４積算削減量を機器識別子に対応するそれら機器名毎に出力する第４積算削減量出力手段とを有する。
【００１８】
本発明のアルミニウム板管理システムの他の一例としては、アルミニウム板管理システムが中間ユーザ側に設置された中間ユーザコンピュータを含み、管理コンピュータと中間ユーザコンピュータとがネットワークを介して接続され、中間ユーザコンピュータが中間ユーザ識別子に対応する中間ユーザ名の第２積算削減量を出力する中間ユーザデータ出力手段を有する。
【００１９】
本発明のアルミニウム板管理システムの他の一例としては、アルミニウム板管理システムがエンドユーザ側に設置されたエンドユーザコンピュータを含み、管理コンピュータとエンドユーザコンピュータとがネットワークを介して接続され、エンドユーザコンピュータがエンドユーザ識別子に対応するエンドユーザ名の第３積算削減量を出力するエンドユーザデータ出力手段を有する。
【００２０】
本発明のアルミニウム板管理システムの他の一例としては、バーコードが一次元バーコードであってアルミニウム板の筋目に対して４５度傾斜した状態でアルミニウム板の一面に表示されている。
【００２１】
前記課題を解決するための本発明のアルミニウム板管理方法の特徴としては、印刷機に着脱可能に装着される各種複数のアルミニウム板を管理する管理者側に設置された管理コンピュータと、アルミニウム板を個別に識別する板識別子を表すバーコードをアルミニウム板の一面に表示するバーコードプリンタと、アルミニウム板に表示されたバーコードを読み取るバーコードスキャナとを備え、管理コンピュータが、バーコードに対応した板識別子を記憶する板識別子記憶プロセスと、それらアルミニウム板のあらかじめ設定された再使用可能回数を板識別子に対応させて記憶する再使用可能回数記憶プロセスと、バーコードスキャナから出力された板識別子に基づいてそれらアルミニウム板を個別に特定する板特定プロセスと、板特定プロセスによって特定されたアルミニウム板を印刷機に装着して印刷を行った度毎に、そのアルミニウム板の再使用済回数に１回を加算し、加算した再使用済回数を板識別子に対応させて記憶する再使用済回数更新プロセスと、板特定プロセスによって特定されたアルミニウム板の再使用可能回数と再使用済回数とを比較する回数比較プロセスと、再使用済回数が再使用可能回数未満の場合にそのアルミニウム板の次回の再使用を可とし、再使用済回数が再使用可能回数に達している場合にそのアルミニウム板の次回の再使用を不可とする再使用可否判断プロセスとを実行することにある。
【００２２】
本発明のアルミニウム板管理方法の一例としては、管理コンピュータが、各アルミニウム板に設定された再使用可能回数を変更する再使用可能回数変更プロセスと、再使用可能回数変更プロセスによって変更された再使用可能回数を板識別子に対応させて記憶する変更後の再使用可能回数記憶プロセスとを実行する。
【００２３】
本発明のアルミニウム板管理方法の一例としては、管理コンピュータが、再使用可能回数を板識別子に対応する各アルミニウム板毎に出力する再使用可能回数出力プロセスと、再使用済回数を板識別子に対応する各アルミニウム板毎に出力する再使用済回数出力プロセスと、再使用可否判断プロセスによって判断した再使用可否情報を板識別子に対応する各アルミニウム板毎に出力する再使用可否情報出力プロセスとを実行する。
【００２４】
本発明のアルミニウム板管理方法の一例としては、管理コンピュータが、再使用されるアルミニウム板を１回使用することから削減されるアルミニウム板の二酸化炭素削減量を板識別子に対応させて記憶する二酸化炭素削減量記憶プロセスと、板特定プロセスによって特定されたアルミニウム板を印刷機に装着して印刷を行った度毎に、そのアルミニウム板の二酸化炭素削減量を積算し、積算したアルミニウム板の第１積算削減量を板識別子に対応させて記憶する第１積算削減量更新プロセスと、再使用されるアルミニウム板を１回使用することから削減される二酸化炭素削減量を板識別子に対応する各アルミニウム板毎に出力する二酸化炭素削減量出力プロセスと、第１積算削減量更新プロセスによって記憶した第１積算削減量を板識別子に対応する各アルミニウム板毎に出力する第１積算削減量出力プロセスとを実行する。
【００２５】
本発明のアルミニウム板管理方法の一例としては、管理コンピュータが、アルミニウム板の板サイズを板識別子に対応させて記憶する板サイズ記憶プロセスと、アルミニウム板の最初の出荷日時を板識別子に対応させて記憶する出荷日時記憶プロセスと、板サイズを板識別子に対応する各アルミニウム板毎に出力する板サイズ出力プロセスと、出荷日時を板識別子に対応する各アルミニウム板毎に出力する出荷日時出力プロセスとを実行する。
【００２６】
本発明のアルミニウム板管理方法の一例としては、管理コンピュータが、アルミニウム板を使用して所定の印刷物を製作する複数の中間ユーザの中間ユーザ名およびそれら中間ユーザ名を識別する中間ユーザ識別子を含む中間ユーザ情報を板識別子に対応させて記憶する中間ユーザ情報記憶プロセスと、板識別子に基づいてそれら中間ユーザ名毎の二酸化炭素削減量を積算し、積算した各中間ユーザ名毎の第２積算削減量を中間ユーザ識別子に対応させて記憶する第２積算削減量更新プロセスと、第２積算削減量更新プロセスによって記憶した第２積算削減量を中間ユーザ識別子に対応するそれら中間ユーザ名毎に出力する第２積算削減量出力プロセスとを実行する。
【００２７】
本発明のアルミニウム板管理方法の一例としては、管理コンピュータが、中間ユーザに所定の印刷物を依頼する複数のエンドユーザのエンドユーザ名およびそれらエンドユーザ名を識別するエンドユーザ識別子を含むエンドユーザ情報を板識別子に対応させて記憶するエンドユーザ情報記憶プロセスと、板識別子に基づいてそれらエンドユーザ名毎の二酸化炭素削減量を積算し、積算した各エンドユーザ名毎の第３積算削減量をエンドユーザ識別子に対応させて記憶する第３積算削減量更新プロセスと、第３積算削減量更新プロセスによって記憶した第３積算削減量をエンドユーザ識別子に対応するそれらエンドユーザ名毎に出力する第３積算削減量出力プロセスとを実行する。
【００２８】
本発明のアルミニウム板管理方法の一例としては、管理コンピュータが、アルミニウム板を装着するそれら印刷機の機器名およびそれら機器名を識別する機器識別子を含む機器情報を板識別子に対応させて記憶する機器情報記憶プロセスと、板識別子に基づいてそれら機器名毎の二酸化炭素削減量を積算し、積算した各機器名毎の第４積算削減量を機器識別子に対応させて記憶する第４積算削減量更新プロセスと、第４積算削減量更新プロセスによって記憶した第４積算削減量を機器識別子に対応するそれら機器名毎に出力する第４積算削減量出力プロセスとを実行する。
【００２９】
本発明のアルミニウム板管理方法の一例としては、アルミニウム板管理方法が中間ユーザ側に設置された中間ユーザコンピュータを備え、管理コンピュータと中間ユーザコンピュータとがネットワークを介して接続され、中間ユーザコンピュータが中間ユーザ識別子に対応する中間ユーザ名の第２積算削減量を出力する中間ユーザデータ出力プロセスを実行する。
【００３０】
本発明のアルミニウム板管理方法の一例としては、アルミニウム板管理方法がエンドユーザ側に設置されたエンドユーザコンピュータを備え、管理コンピュータとエンドユーザコンピュータとがネットワークを介して接続され、エンドユーザコンピュータがエンドユーザ識別子に対応するエンドユーザ名の第３積算削減量を出力するエンドユーザデータ出力プロセスを実行する。
【発明の効果】
【００３１】
本発明のアルミニウム板管理システムおよびアルミニウム板管理方法によれば、板識別子に基づいて特定したアルミニウム板の再使用済回数が再使用可能回数未満の場合、そのアルミニウム板の次回の再使用を可とするから、印刷機に装着されるアルミニウム板の再使用時において、そのアルミニウム板の再使用可能回数と実際の再使用済回数とを確認しつつ、適切にアルミニウム板を再使用することができる。管理システムおよび管理方法は、アルミニウム板の再使用済回数が再使用可能回数に達している場合、そのアルミニウム板の次回の再使用を不可とするから、使用限界に達したアルミニウム板のそれ以上の再使用を事前に防ぐことができ、印刷時の各種トラブルを防ぐことができる。この管理システムおよび管理方法は、再使用可能回数の分だけアルミニウム板を再使用することができ、アルミニウム板をそれの使用限度まで繰り返して使用することができるから、１回の使用でアルミニウム板を廃棄する場合と比較し、アルミニウム資源の無駄を省くことができ、二酸化炭素の排出量を大幅に削減することができる。
【００３２】
各アルミニウム板に設定された再使用可能回数を変更可能であり、変更された再使用可能回数を板識別子に対応させて記憶するアルミニウム板管理システムおよびアルミニウム板管理方法は、アルミニウム板の管理状況や再使用時の加工状況、金属疲労の状況等によって、当初の再使用可能回数を変更しなければならなくなったとしても、それに対応することができ、アルミニウム板の状態によって再使用可能回数を自由に変更することができる。管理システムおよび管理方法は、変更後の再使用可能回数の分だけアルミニウム板を再使用することができ、アルミニウム板をそれの使用限度まで繰り返して使用することができるから、１回の使用でアルミニウム板を廃棄する場合と比較し、アルミニウム資源の無駄を省くことができ、二酸化炭素の排出量を大幅に削減することができる。
【００３３】
再使用可能回数を各アルミニウム板毎に出力し、再使用済回数を各アルミニウム板毎に出力するとともに、再使用可否情報を各アルミニウム板毎に出力するアルミニウム板管理システムおよびアルミニウム板管理方法は、アルミニウム板の再使用可能回数や再使用済回数、再使用可、再使用不可を各アルミニウム板毎に把握することができ、印刷機に装着されるアルミニウム板の再使用時において、そのアルミニウム板の再使用可能回数と実際の使用済回数とを確認しつつ、適切にアルミニウム板を再使用することができる。
【００３４】
板識別子に基づいて特定したアルミニウム板の二酸化炭素削減量を積算しつつ、そのアルミニウム板の二酸化炭素の第１積算削減量を出力するアルミニウム板管理システムおよびアルミニウム板管理方法は、アルミニウム板の再使用によって削減された二酸化炭素の第１積算削減量を各アルミニウム板毎に把握することができ、その第１積算削減量を利用して各アルミニウム板毎の実績を評価することができる。この管理システムおよび管理方法は、削減された二酸化炭素排出量を第１積算削減量として具体的に表示することで、二酸化炭素排出量削減の実績を主張することができ、アルミニウム板を再使用することによって二酸化炭素排出量低減活動を実行していることを外部にアピールすることができる。
【００３５】
アルミニウム板の板サイズを板識別子に対応する各アルミニウム板毎に出力し、アルミニウム板の最初の出荷日時を板識別子に対応する各アルミニウム板毎に出力するアルミニウム板管理システムおよびアルミニウム板管理方法は、アルミニウム板の板サイズを板識別子に対応する各アルミニウム板毎に特定することができるから、各種複数のアルミニウム板のサイズを容易に管理することができる。また、アルミニウム板の最初の出荷日時を板識別子に対応する各アルミニウム板毎に特定することができるから、各種複数のアルミニウム板の最初の出荷日時を容易に管理することができる。
【００３６】
板識別子に基づいて各中間ユーザ名毎の二酸化炭素削減量を積算しつつ、各中間ユーザ名毎の二酸化炭素の第２積算削減量を出力するアルミニウム板管理システムおよびアルミニウム板管理方法は、アルミニウム板の再使用によって削減された二酸化炭素の第２積算削減量を各中間ユーザ毎に把握することができ、その第２積算削減量を利用して各中間ユーザ毎の実績を評価することができる。この管理システムおよび管理方法は、削減された二酸化炭素排出量を第２積算削減量として各中間ユーザ毎に具体的に表示することで、各中間ユーザが二酸化炭素排出量削減の実績を主張することができ、アルミニウム板を再使用することによって二酸化炭素排出量低減活動を実行していることを各中間ユーザが外部にアピールすることができる。
【００３７】
板識別子に基づいて各エンドユーザ名毎の二酸化炭素削減量を積算しつつ、各エンドユーザ名毎の二酸化炭素の第３積算削減量を出力するアルミニウム板管理システムおよびアルミニウム板管理方法は、アルミニウム板の再使用によって削減された二酸化炭素の第３積算削減量を各エンドユーザ毎に把握することができ、その第３積算削減量を利用して各エンドユーザ毎の実績を評価することができる。この管理システムおよび管理方法は、削減された二酸化炭素排出量を第３積算削減量として各エンドユーザ毎に具体的に表示することで、各エンドユーザが二酸化炭素排出量削減の実績を主張することができ、アルミニウム板を再使用することによって二酸化炭素排出量低減活動を実行していることを各エンドユーザが外部にアピールすることができる。
【００３８】
板識別子に基づいてそれら印刷機の機器名毎の二酸化炭素削減量を積算しつつ、各機器名毎の二酸化炭素の第４積算削減量を出力するアルミニウム板管理システムおよびアルミニウム板管理方法は、アルミニウム板の再使用によって削減された二酸化炭素の第４積算削減量を各印刷機毎に把握することができ、その第４積算削減量を利用して各印刷機毎の実績を評価することができる。この管理システムおよび管理方法は、削減された二酸化炭素削減量を第３積算削減量として各印刷機毎に具体的に表示することで、二酸化炭素排出量削減の実績を主張することができ、アルミニウム板を再使用することによって二酸化炭素排出量低減活動を実行していることを外部にアピールすることができる。
【００３９】
管理コンピュータと中間ユーザコンピュータとがネットワークを介して接続され、中間ユーザコンピュータが管理コンピュータから出力された各アルミニウム板毎の第１積算削減量と中間ユーザ名の第２積算削減量と各機器名毎の第４積算削減量とのうちのすくなくとも１つを出力するアルミニウム板管理システムおよびアルミニウム板管理方法は、各中間ユーザに対応した第１積算削減量や第２積算削減量、第４積算削減量を中間ユーザコンピュータから出力することで、各中間ユーザがアルミニウム板の再使用によって削減された二酸化炭素の積算削減量を確認することができ、それら積算削減量を利用して各中間ユーザが自己の実績を把握することができる。この管理システムおよび管理方法は、削減された二酸化炭素の積算排出量を中間ユーザコンピュータを介して各中間ユーザに表示することで、各中間ユーザが二酸化炭素排出量削減の実績を主張することができ、アルミニウム板を再使用することによって二酸化炭素排出量低減活動を実行していることを各中間ユーザが外部にアピールすることができる。
【００４０】
中間ユーザコンピュータが管理コンピュータから出力された各アルミニウム板毎の再使用可能回数と再使用済回数と再使用可否情報と板サイズと出荷日時と二酸化炭素削減量とのうちの少なくとも１つを出力するアルミニウム板管理システムおよびアルミニウム板管理方法は、各中間ユーザに対応したアルミニウム板毎の再使用可能回数や再使用済回数、再使用可否情報、板サイズ、出荷日時、二酸化炭素削減量を中間ユーザコンピュータから出力することで、各中間ユーザがアルミニウム板毎の再使用可能回数や再使用済回数、再使用可否情報、板サイズ、出荷日時、二酸化炭素削減量を把握することができる。この管理システムおよび管理方法は、印刷機に装着されるアルミニウム板の再使用時において、中間ユーザがそのアルミニウム板の再使用可能回数と実際の使用済回数とを確認しつつ、適切にアルミニウム板を再使用することができる。
【００４１】
管理コンピュータとエンドユーザコンピュータとがネットワークを介して接続され、エンドユーザコンピュータが管理コンピュータから出力された各アルミニウム板毎の第１積算削減量とエンドユーザ名の第３積算削減量と各機器名毎の第４積算削減量とのうちのすくなくとも１つを出力するアルミニウム板管理システムおよびアルミニウム板管理方法は、各エンドユーザに対応した第１積算削減量や第３積算削減量、第４積算削減量をエンドユーザコンピュータから出力することで、各エンドユーザがアルミニウム板の再使用によって削減された二酸化炭素の積算削減量を確認することができ、それら積算削減量を利用して各エンドユーザが自己の実績を把握することができる。この管理システムおよび管理方法は、削減された二酸化炭素の積算排出量をエンドユーザコンピュータを介して各エンドユーザに表示することで、各エンドユーザが二酸化炭素排出量削減の実績を主張することができ、アルミニウム板を再使用することによって二酸化炭素排出量低減活動を実行していることを各エンドユーザが外部にアピールすることができる。
【００４２】
バーコードが一次元バーコードであってアルミニウム板の筋目に対して４５度傾斜した状態でアルミニウム板の一面に表示されたアルミニウム板管理システムは、アルミニウム板の筋目と平行してバーコードが表示されると、筋目とバーコードとの区別がつかず、そのバーコードを読むことができない場合があるが、一次元バーコードがアルミニウム板の筋目に対して４５度傾斜した状態で表示されているから、バーコードが明確に表示され、バーコードスキャナを介してバーコードを確実に読み取ることができる。この管理システムおよび管理方法は、バーコードを利用してそれらアルミニウム板を個別に特定することができ、バーコードを介して各種複数のアルミニウム板を容易に管理することができるのみならず、バーコードをアルミニウム板の一面に表示するだけであるから、アルミニウム板の管理を廉価に行うことができる。
【図面の簡単な説明】
【００４３】
【図１】一例として示すアルミニウム板管理システムの構成図。
【図２】アルミニウム板の一例を示す斜視図。
【図３】印刷機に設置される版胴の一例を示す斜視図。
【図４】アルミニウム板を巻装した状態で示す版胴の斜視図。
【図５】アルミニウム板を巻装した状態で示す版胴の断面図。
【図６】版胴から取り外した後のアルミニウム板の一例を示す斜視図
【図７】システムが実行する各手段を説明するためのフローチャート。
【図８】図７から続くフローチャート。
【図９】初期画面の一例を示す図。
【図１０】システムログイン画面の一例を示す図。
【図１１】データ入力画面の一例を示す図。
【図１２】データ確認画面の一例を示す図。
【図１３】バーコード表示開始画面の一例を示す図。
【図１４】マーキング終了画面の一例を示す図。
【図１５】バーコード読み取り指示画面の一例を示す図。
【図１６】バーコード読み取り完了画面の一例を示す図。
【図１７】データ詳細画面の一例を示す図。
【図１８】中間ユーザ別データ詳細画面の一例を示す図。
【図１９】エンドユーザ別データ詳細画面の一例を示す図。
【図２０】印刷機別データ詳細画面の一例を示す図。
【図２１】再使用確認画面の一例を示す図。
【図２２】搬送確認画面の一例を示す図。
【図２３】最終データ詳細画面の一例を示す図。
【図２４】中間ユーザ名表示画面の一例を示す図。
【図２５】中間ユーザ別データ詳細画面の一例を示す図。
【図２６】エンドユーザ名表示画面の一例を示す図。
【図２７】エンドユーザ別データ詳細画面の一例を示す図。
【図２８】印刷機名表示画面の一例を示す図。
【図２９】印刷機別データ詳細画面の一例を示す図。
【発明を実施するための形態】
【００４４】
一例として示すアルミニウム板管理システムの構成図である図１等の添付の図面を参照し、本発明に係るアルミニウム板管理システムおよびアルミニウム板管理方法の詳細を説明すると、以下のとおりである。アルミニウム板管理システム１０およびアルミニウム板管理方法は、バーコード１６を利用し、各種複数の印刷機（特に、平版印刷機）（図示せず）に着脱可能に装着される各種複数のアルミニウム板１４を管理する。なお、図１では、中間ユーザコンピュータ１２やエンドユーザコンピュータ１３を１台のみ図示しているが、実際にシステム１０を構築する場合には複数の中間ユーザや複数のエンドユーザが存在し、複数の中間ユーザコンピュータ１２や複数のエンドユーザコンピュータ１３が設置される。
【００４５】
アルミニウム板管理方法を実施するアルミニウム板管理システム１０は、管理コンピュータ１１と、中間ユーザコンピュータ１２と、エンドユーザコンピュータ１３と、アルミニウム板１４（図２参照）の裏面１５（一面）にバーコード１６を表示するＹＡＧレーザー照射装置１７（バーコードプリンタ）と、アルミニウム板１４に表示されたバーコード１６を読み取るバーコードスキャナ１８（バーコードリーダー）とから構成されている。バーコード１６は、アルミニウム板１４を個別に識別（特定）する板識別番号（板識別子）を表す。
【００４６】
管理コンピュータ１１や中間ユーザコンピュータ１２、エンドユーザコンピュータ１３は、中央処理部（ＣＰＵまたはＭＰＵ）とメモリとを備え、大容量ハードディスクを内蔵している。管理コンピュータ１１や中間ユーザコンピュータ１２、エンドユーザコンピュータ１３には、キーボード１９〜２１やマウス２２〜２３等の入力装置がインターフェースを介して接続され、ディスプレイ２５〜２７やプリンタ（図示せず）等の出力装置がインターフェースを介して接続されている。ＹＡＧレーザー照射装置１７やバーコードスキャナ１８は、インターフェースを介して管理コンピュータ１１に接続されている。バーコードスキャナ１８は、読み取ったバーコード１６のアナログ信号（識別番号）をデジタル信号（識別番号）に変換し、そのデジタル信号を管理コンピュータ１１に出力する。
【００４７】
管理コンピュータ１１は、アルミニウム板１４を管理する管理者側に設置されている。中間ユーザコンピュータ１２は、アルミニウム板１４を使用して所定の印刷物を製作する印刷会社や広告代理店等の複数の中間ユーザに設置され、中間ユーザが管理保有する。エンドユーザコンピュータ１３は、中間ユーザに所定の印刷物を依頼（発注）し、中間ユーザが製作した印刷物を利用する旅行会社や印刷物出版社、個人依頼者等のエンドユーザに設置され、エンドユーザが管理保有する。
【００４８】
管理コンピュータ１１や中間ユーザコンピュータ１２、エンドユーザコンピュータ１３は、ＤＮＳサーバ機能、データベースサーバ機能、Ｗｅｂサーバ機能を有し、インターネット２８に接続可能であり、インターネット２８を利用することで、各コンピュータ１１〜１３にアクセスかつログインすることができる。なお、それらコンピュータ１１〜１３がＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）で接続される場合もある。
【００４９】
管理コンピュータ１１のハードディスクには、バーコードに対応した板識別番号（板識別子）、アルミニウム板１４の再使用可能回数、アルミニウム板１４の再使用済回数、中間ユーザの中間ユーザ名およびそれら中間ユーザ名を識別（特定）する中間ユーザ識別番号（中間ユーザ識別子）を含む中間ユーザ情報、エンドユーザのエンドユーザ名およびそれらエンドユーザ名を識別（特定）するエンドユーザ識別番号（エンドユーザ識別子）を含むエンドユーザ情報、印刷機の機器名およびそれら機器名を識別（特定）する機器識別番号（機器識別子）を含む機器情報が格納されている。ハードディスクには、アルミニウム板１４の１回の使用における二酸化炭素削減量、アルミニウム板１４の第１積算削減量、各中間ユーザ名毎の第２積算削減量、各エンドユーザ名毎の第３積算削減量、各機器名毎の第４積算削減量、アルミニウム板１４の板サイズ、アルミニウム板１４の最初の出荷日時が格納されている。さらに、二酸化炭素削減量の算出式、アルミニウム板１４の各寸法（縦寸法、横寸法、厚み寸法）や印刷機の機種、アルミニウム板１４の端部の折曲回数とそれらから決定されるアルミニウム板１４の再使用可能回数との相関関係が格納されている。
【００５０】
管理コンピュータ１１は、オペレーティングシステムによる制御に基づいて、メモリの命令ファイルに格納されたアプリケーションを起動し、アプリケーションに従って以下の各手段を実行する。管理コンピュータ１１は、各種複数のアルミニウム板１４にバーコード１６を表示するバーコード表示手段（バーコード表示プロセス）を実行する。バーコード１６は、管理コンピュータ１１とＹＡＧレーザー照射装置１７とを利用してアルミニウム板１４に刻印（表示）される。ＹＡＧレーザー照射装置１７は、ＹＡＧレーザーによってアルミニウム板１４の裏面１５を削り、アルミニウム板１４の裏面１５にバーコード１６をマーキングする。なお、ＹＡＧレーザー照射装置１７とは別に、バーコードラベル作成装置によってバーコードラベルを作成し、そのラベルをアルミニウム板１４の裏面１５に貼付することもできる。
【００５１】
管理コンピュータ１１は、各アルミニウム板１４に個別に表示されたバーコード１６に対応した板識別番号（板識別子）をハードディスクに格納する板識別子記憶手段（板識別子記憶プロセス）を実行する。管理コンピュータ１１は、それらアルミニウム板１４のあらかじめ設定された再使用可能回数を板識別番号に対応させた状態（板識別番号に関連付けた状態）でハードディスクに格納する再使用可能回数記憶手段（再使用可能回数記憶プロセス）を実行し、それらアルミニウム板１４の変更された再使用可能回数を板識別番号に対応させた状態（板識別番号に関連付けた状態）でハードディスクに格納する再使用可能回数記憶手段（再使用可能回数記憶プロセス）を実行する。
【００５２】
管理コンピュータ１１は、アルミニウム板１４の１回の使用における二酸化炭素削減量を算出する二酸化炭素削減量算出手段（二酸化炭素削減量算出プロセス）を実行する。管理コンピュータ１１は、それらアルミニウム板１４を１回再使用することから削減されるそれらアルミニウム板１４の二酸化炭素削減量（削減されるＣＯ２排出量）を板識別番号に対応させた状態（板識別番号に関連付けた状態）でハードディスクに格納する二酸化炭素削減量記憶手段（二酸化炭素削減量記憶プロセス）を実行する。管理コンピュータ１１は、それらアルミニウム板１４の板サイズを板識別番号に対応させた状態（板識別番号に関連付けた状態）でハードディスクに格納する板サイズ記憶手段（板サイズ記憶プロセス）を実行し、それらアルミニウム板１４の最初の出荷日時を板識別番号に対応させた状態（板識別番号に関連付けた状態）でハードディスクに格納する出荷日時記憶手段（出荷日時記憶プロセス）を実行する。
【００５３】
管理コンピュータ１１は、複数の中間ユーザの中間ユーザ名およびそれら中間ユーザ名を識別する中間ユーザ識別番号を含む中間ユーザ情報を板識別番号に対応させた状態（板識別番号に関連付けた状態）でハードディスクに格納する中間ユーザ情報記憶手段（中間ユーザ情報記憶プロセス）を実行する。管理コンピュータ１１は、複数のエンドユーザのエンドユーザ名およびそれらエンドユーザ名を識別するエンドユーザ識別番号を含むエンドユーザ情報を板識別番号に対応させた状態（板識別番号に関連付けた状態）でハードディスクに格納するエンドユーザ情報記憶手段（エンドユーザ情報記憶プロセス）を実行する。
【００５４】
管理コンピュータ１１は、アルミニウム板１４を装着するそれら印刷機の機器名およびそれら機器名を識別する機器識別番号を含む機器情報を板識別番号に対応させた状態（板識別番号に関連付けた状態）でハードディスクに格納する機器情報記憶手段（機器情報記憶プロセス）を実行する。管理コンピュータ１１は、バーコードスキャナ１８から出力された板識別番号とハードディスクに記憶した板識別番号とを照合し、それらアルミニウム板１４を個別に特定する板特定手段（板特定プロセス）を実行する。管理コンピュータ１１は、アルミニウム板１４に設定された再使用可能回数を変更する再使用可能回数変更手段（再使用可能回数変更プロセス）を実行する。
【００５５】
管理コンピュータ１１は、板特定手段（板特定プロセス）によって特定したアルミニウム板１４を印刷機に装着して印刷を行った度毎に、そのアルミニウム板１４の再使用済回数に１回を加算し、加算した再使用済回数を板識別番号に対応させた状態（板識別番号に関連付けた状態）でハードディスクに格納する再使用済回数更新手段（再使用済回数更新プロセス）を実行する。管理コンピュータ１１は、板特定手段（板特定プロセス）によって特定したアルミニウム板１４の再使用可能回数と再使用済回数とを比較する回数比較手段（回数比較プロセス）を実行する。管理コンピュータ１１は、再使用済回数が再使用可能回数未満の場合にそのアルミニウム板１４の次回の再使用を可とし、再使用済回数が再使用可能回数に達している場合にそのアルミニウム板１４の次回の再使用を不可とする再使用可否判断手段（再使用可否判断プロセス）を実行する。
【００５６】
管理コンピュータ１１は、板特定手段（板特定プロセス）によって特定したアルミニウム板１４を印刷機に装着して印刷を行った度毎に、そのアルミニウム板１４の二酸化炭素削減量を積算し、積算したアルミニウム板１４の第１積算削減量を板識別番号に対応させた状態（板識別番号に関連付けた状態）でハードディスクに格納する第１積算削減量更新手段（第１積算削減量更新プロセス）を実行する。管理コンピュータ１１は、板識別番号と中間ユーザ識別番号とに基づいてそれら中間ユーザ名毎のアルミニウム板１４を特定しつつ、それら中間ユーザ名毎の二酸化炭素削減量を積算し、積算した各中間ユーザ名毎の第２積算削減量を中間ユーザ識別番号に対応させた状態（中間ユーザ識別番号に関連付けた状態）でハードディスクに格納する第２積算削減量更新手段（第２積算削減量更新プロセス）を実行する。
【００５７】
管理コンピュータ１１は、板識別番号とエンドユーザ識別番号とに基づいてそれらエンドユーザ名毎のアルミニウム板１４を特定しつつ、それらエンドユーザ名毎の二酸化炭素削減量を積算し、積算した各エンドユーザ名毎の第３積算削減量をエンドユーザ識別番号に対応させた状態（エンドユーザ識別番号に関連付けた状態）でハードディスクに格納する第３積算削減量更新手段（第３積算削減量更新プロセス）を実行する。管理コンピュータ１１は、板識別番号と機器識別番号とに基づいてそれら機器名毎のアルミニウム板１４を特定しつつ、それら機器名毎の二酸化炭素削減量を積算し、積算した各機器名毎の第４積算削減量を機器識別番号に対応させた状態（機器識別番号に関連付けた状態）でハードディスクに格納する第４積算削減量更新手段（第４積算削減量更新プロセス）を実行する。
【００５８】
管理コンピュータ１１は、再使用可能回数を板識別番号に対応する各アルミニウム板１４毎に出力する再使用可能回数出力手段（再使用可能回数出力プロセス）を実行し、再使用済回数を板識別番号に対応する各アルミニウム板１４毎に出力する再使用済回数出力手段（再使用済回数出力プロセス）を実行する。さらに、再使用可否判断手段によって判断した再使用可否情報を板識別番号に対応する各アルミニウム板１４毎に出力する再使用可否情報出力手段（再使用可否情報出力プロセス）を実行する。
【００５９】
管理コンピュータ１１は、板サイズを板識別番号に対応する各アルミニウム板１４毎に出力する板サイズ出力手段（板サイズ出力プロセス）を実行し、出荷日時を板識別番号に対応する各アルミニウム板１４毎に出力する出荷日時出力手段（出荷日時出力プロセス）を実行する。管理コンピュータ１１は、アルミニウム板１４を１回再使用することから削減される二酸化炭素削減量を板識別番号に対応する各アルミニウム板１４毎に出力する二酸化炭素削減量出力手段（二酸化炭素削減量出力プロセス）を実行する。
【００６０】
管理コンピュータ１１は、第１積算削減量更新手段によって記憶した第１積算削減量を板識別番号に対応する各アルミニウム板１４毎に出力する第１積算削減量出力手段（第１積算削減量出力プロセス）を実行し、第２積算削減量更新手段によって記憶した第２積算削減量を中間ユーザ識別番号に対応するそれら中間ユーザ名毎に出力する第２積算削減量出力手段（第２積算削減量出力プロセス）を実行する。管理コンピュータ１１は、第３積算削減量更新手段によって記憶した第３積算削減量をエンドユーザ識別番号に対応するそれらエンドユーザ名毎に出力する第３積算削減量出力手段（第３積算削減量出力プロセス）を実行し、第４積算削減量更新手段によって記憶した第４積算削減量を機器識別番号に対応するそれら機器名毎に出力する第４積算削減量出力手段（第４積算削減量出力プロセス）を実行する。
【００６１】
管理コンピュータ１１は、中間ユーザが必要な中間ユーザデータをインターネット２８を介してＷｅｂデータとして中間ユーザコンピュータ１２に送信し、または、中間ユーザデータをＬＡＮやＷＡＮを介して電子データとして中間ユーザコンピュータ１２に送信（出力）する中間ユーザデータ送信手段（中間ユーザデータ送信プロセス）を実行する。中間ユーザデータには、板識別番号に対応する各アルミニウム板１４毎の第１積算削減量、中間ユーザ識別番号に対応する中間ユーザ名の第２積算削減量、機器識別番号に対応する各機器名毎の第４積算削減量、板識別番号に対応する各アルミニウム板１４毎の板サイズ、板識別番号に対応する各アルミニウム板１４毎の二酸化炭素削減量等がある。
【００６２】
管理コンピュータ１１は、エンドユーザが必要なエンドユーザデータをインターネット２８を介してＷｅｂデータとしてエンドユーザコンピュータ１３に送信し、または、エンドユーザデータをＬＡＮやＷＡＮを介して電子データとしてエンドユーザコンピュータ１３に送信（出力）するエンドユーザデータ送信手段（エンドユーザデータ送信プロセス）を実行する。エンドユーザデータには、板識別子に対応する各アルミニウム板１４毎の第１積算削減量、エンドユーザ識別子に対応するエンドユーザ名の第３積算削減量等がある。
【００６３】
中間ユーザコンピュータ１２は、オペレーティングシステムによる制御に基づいて、メモリの命令ファイルに格納されたアプリケーションを起動し、アプリケーションに従って以下の各手段を実行する。中間ユーザコンピュータ１２は、管理コンピュータ１１から送信（出力）された中間ユーザデータをハードディスクに格納する中間ユーザデータ記憶手段（中間ユーザデータ記憶プロセス）を実行し、中間ユーザデータを出力装置を介して出力する中間ユーザデータ出力手段（中間ユーザデータ記憶プロセス）を実行する。
【００６４】
エンドユーザコンピュータ１３は、オペレーティングシステムによる制御に基づいて、メモリの命令ファイルに格納されたアプリケーションを起動し、アプリケーションに従って以下の各手段を実行する。エンドユーザコンピュータ１３は、管理コンピュータ１１から送信（出力）されたエンドユーザデータをハードディスクに格納するエンドユーザデータ記憶手段（エンドユーザデータ記憶プロセス）を実行し、エンドユーザデータを出力装置を介して出力するエンドユーザデータ出力手段（エンドユーザデータ記憶プロセス）を実行する。
【００６５】
図２は、アルミニウム板１４の一例を示す斜視図であり、図３は、印刷機に設置される版胴３２の一例を示す斜視図である。図４は、アルミニウム板１４を巻装した状態で示す版胴３２の斜視図であり、図５は、アルミニウム板１４を巻装した状態で示す版胴３２の断面図である。図６は、版胴３２から取り外した後のアルミニウム板１４の一例を示す斜視図である。図２では筋目３０，３１を部分的に示しているが、実際にはアルミニウム板１４の裏面１５全域に筋目３０，３１が形成されている。図締めを図２では、縦方向を矢印Ｌで示し、横方向を矢印Ｍで示す。図６では、アルミニウム板１４の両端部３４，３５を折り返した状態を二点鎖線で示し、バーコード１６の図示を省略している。
【００６６】
アルミニウム板管理システム１０において管理するアルミニウム板１４は、その平面形状が横方向へ長い長方形に成形され、その表面２９に被印刷面が形成されている。アルミニウム板１４の裏面１５（一面）には、図２に示すように、バーコード１６が刻印（表示）されている。バーコード１６は、一次元バーコードであり、アルミニウム板１４の筋目３０，３１（縦方向の筋目３０および横方向の筋目３１）に対して４５度傾斜した状態でそのアルミニウム板１４の裏面１５に刻印されている。アルミニウム板１４の筋目３０，３１と平行してバーコード１６が表示されると、筋目３０，３１が乱反射して筋目３０，３１とバーコード１６との区別がつかず、そのバーコード１６を読むことができない場合があるが、一次元バーコードがアルミニウム板１４の筋目３０，３１に対して４５度傾斜した状態で表示されているから、バーコード１６が明確となり、バーコードスキャナ１８を介してバーコード１６を確実に読み取ることができる。
【００６７】
また、バーコード１６が縦方向に平行して表示されていると、アルミニウム板１４を横方向へ移動させなければバーコード１６を読むことができない。逆に、バーコード１６が横方向に平行して表示されていると、アルミニウム板１４を縦方向へ移動させなければバーコード１６を読むことができない。しかし、バーコード１６がアルミニウム板１４の筋目３０，３１（縦方向の筋目３０および横方向の筋目３１）に対して４５度傾斜した状態で刻印されているから、アルミニウム板１４を縦方向と横方向とのいずれの方向へ移動させたとしてもバーコードスキャナ１８がバーコード１６を読むことができる。なお、バーコードとして、一次元バーコードの他に、ＱＲコードやベリコード、マキシコード等のマトリックス式の二次元バーコードを使用することもでき、Ｃｏｄｅ４９やＣｏｄｅ１６Ｋ、Ｃｏｄａｂｌｏｃｋ、ＳｕｐｅｒＣｏｄｅ等のスタック式の二次元バーコードを使用することもできる。また、カメレオンコードを使用することもできる。
【００６８】
アルミニウム板１４は、バーコード１６が刻印された後、図４，５に示すように、印刷機に装着されるドラム状の版胴３２に巻装されて使用される。版胴３２の周面３３には、図３に示すように、アルミニウム板１４の両端部３４，３５を挿入して板１４を版胴３２に固定する２つの差し込みスリット３６，３７が形成されている。アルミニウム板１４を版胴３２に取り付けるには、図６に示すように、板１４の両端部３４，３５を任意の角度に折り曲げ、その一端部３４を一方のスリット３６に差し込んだ後、板１４の裏面１５が版胴３２の周面３３に当接するように板１４を版胴３２に巻き付け、さらに残りの一端部３５を他方のスリット３６に差し込む。なお、両端部３４，３５を折り曲げる角度は、アルミニウム板１４を取り付ける版胴３２によって異なる。
【００６９】
アルミニウム板１４は、印刷工程が終了すると版胴３２から取り外される。そのアルミニウム板１４を再使用（リユース）する場合、板１４の表面２９に再加工処理（たとえば、剥離、塗布）を行う必要があるが、その際、図６に一点鎖線で示すように、折り曲げられた両端部３４，３５を直状に修正する必要がある。なお、そのアルミニウム板１４の再使用時には、両端部３４，３５を再び折り曲げる必要がある。ゆえに、アルミニウム板１４は、それを再使用する度毎にその両端部３４，３５の折り曲げ処理と折り曲げられた両端部３４，３５の折り返し処理とが繰り返され、引張応力や圧縮応力によって両端部３４，３５が金属疲労を起こし、それによって端部３４，３５の強度が次第に低下する。
【００７０】
両端部３４，３５の強度が低下したアルミニウム板１４は、それを再び版胴３２に装着するときに端部３４，３５が折損して版胴３２に装着することができない場合がある。さらに、両端部３４，３５の強度が低下したアルミニウム板１４を版胴３２に装着して印刷を開始したときに、板１４が版胴３２から外れてしまう場合があり、印刷作業に支障を来すことはもちろん、重大な事故に繋がる恐れさえある。そこで、このアルミニウム板管理システム１０は、アルミニウム板１４の再使用回数の限度を管理し、板１４をその使用限界まで再使用しつつ、印刷作業に生じる支障を防止する。
【００７１】
図７は、このシステム１０が実行する各手段（各プロセス）を説明するためのフローチャートであり、図８は、図７から続くフローチャートである。図９〜図２９は、管理コンピュータ１１に接続されたディスプレイ２５に表示される各表示画面の一例を示す図である。それら図に基づいてアルミニウム板管理システム１０が実行する各手段（各プロセス）を具体的に説明すると、以下のとおりである。各コンピュータ１１〜１３を起動すると、それらコンピュータ１１〜１３は、それらに接続されたディスプレイ２５〜２７に認証画面（図示せず）を表示する。
【００７２】
それらコンピュータ１１〜１３は、その起動時においてそれらを利用する管理者や中間ユーザ、エンドユーザの認証を行う。認証の目的は、それらコンピュータ１１〜１３を起動した管理者や中間ユーザ、エンドユーザが正当な権限を有するかを判断することにある。各コンピュータ１１〜１３が行う認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００７３】
認証画面には、ユーザ名の入力エリアとパスワードの入力エリアとが表示される。管理者や中間ユーザ、エンドユーザは、それら入力エリアにユーザ名とパスワードとを入力する。コンピュータ１１〜１３は、入力されたユーザ名およびパスワードをメモリに格納されたそれらと比較し、ユーザ名およびパスワードの正誤を判断する。ユーザ名およびパスワードが正しく認証結果が可である場合、管理コンピュータ１１は、アルミニウム板管理システム１０（アルミニウム板管理アプリケーション）の使用を許可し、中間ユーザコンピュータ１２やエンドユーザコンピュータ１３は、管理コンピュータ１１へのアクセス権限を与えるとともに、管理コンピュータ１１から送信される各種データの閲覧を許可する。逆に、ユーザ名やパスワードが誤っていて認証結果が不可である場合、管理コンピュータ１１は、アルミニウム板管理システム１０の使用を禁止し、使用禁止メッセージをディスプレイ２５に表示する。また、中間ユーザコンピュータ１１やエンドユーザコンピュータ１３は、管理コンピュータ１１へのアクセスを不可とするとともに、管理コンピュータ１１から送信される各種データを閲覧不可とし、不可メッセージをディスプレイ２６，２７に表示する。
【００７４】
認証結果が可である場合、管理コンピュータ１１に接続されたディスプレイ２５には、図９に示す初期画面Ｄ１が表示される。ディスプレイ２５に表示された初期画面Ｄ１には、図９に示すように、このシステム１０のタイトルとともに、スタートボタン、ログアウトボタンが表示される。ログアウトボタンをクリックすると、このシステム１０からログアウトする。スタートボタンをクリックすると、管理コンピュータ１１は、図１０のシステムログイン画面Ｄ２をディスプレイ２５に表示する。
【００７５】
システムログイン画面Ｄ２には、図１０に示すように、実績表示のメッセージとともに、中間ユーザ別ボタン、エンドユーザ別ボタン、印刷機別ボタンが表示され、バーコード表示の有無メッセージとともに、ＹＥＳチェックボックス、ＮＯチェックボックス、実行ボタン、クリアボタン、キャンセルボタンが表示される。クリアボタンをクリックすると、チェックボックスのチェックマークがクリアされる。キャンセルボタンをクリックすると、管理コンピュータ１１は、図９の初期画面Ｄ１をディスプレイ２５に表示する。管理コンピュータ１１は、ＹＥＳまたはＮＯのチェックボックスのチェックマークにより、アルミニウム板１４におけるバーコード１６の表示の有無を判断する（Ｓ−１）。
【００７６】
最初に、アルミニウム板１４にバーコード１６が表示されておらず、そのアルミニウム板１４が「新たに管理を開始する板（未使用板）」である場合において、このシステム１０が実行する管理手順を説明すると、以下のとおりである。アルミニウム板１４が「新たに管理を開始する板」である場合、図１０のログイン画面Ｄ２においてＮＯのチェックボックスにチェックマークを入れ、実行ボタンをクリックする。実行ボタンをクリックすると、管理コンピュータ１１は、アルミニウム板１４にバーコード１６が表示されていないと判断する（Ｓ−１）。
【００７７】
次に、管理コンピュータ１１は、図１１のデータ入力画面Ｄ３をディスプレイ２５に表示する。データ入力画面Ｄ３には、図１１に示すように、中間ユーザ名入力エリア、エンドユーザ名入力エリア、板サイズ第１入力エリア（アルミニウム板の横寸法、縦寸法入力エリア）、板サイズ第２入力エリア（アルミニウム板の厚み寸法入力エリア）、印刷機名入力エリア（平版印刷機の機器名入力エリア）、折曲回数入力エリア、再利用可能回数入力エリア、自動設定ボタン、実行ボタン、クリアボタン、キャンセルボタンが表示される。
【００７８】
入力装置を介してそれら入力エリアに各データを入力する。主要な中間ユーザ名やエンドユーザ名、代表的なアルミニウム板１４の板サイズや印刷機の機種名は管理コンピュータ１１のハードディスクにあらかじめ格納されており、中間ユーザ名やエンドユーザ名、板サイズ、機種名をプルダウンリストから選択し、選択した中間ユーザ名やエンドユーザ名、板サイズ、機種名を入力エリアに表示することもできる。また、折曲回数をプルダウンリストから選択し、選択した折曲回数を入力エリアに表示することもできる。アルミニウム板１４のサイズとしては、たとえば、縦寸法が１，０６０ｍｍまたは８００ｍｍ、横寸法が７３０ｍｍまたは６２０ｍｍ、厚さ寸法が０．２４ｍｍや０．２８ｍｍ、０．３３ｍｍがある。なお、データの入力作業は、１枚のアルミニウム板１４を新たに管理するときに一度だけ行うものであって、同一のアルミニウム板１４では再入力する必要はない。
【００７９】
図１１のデータ入力画面Ｄ３においてクリアボタンをクリックすると、各入力エリアに入力された各データがクリアされ、入力エリアにデータを再度入力する。データ入力画面Ｄ３においてキャンセルボタンをクリックすると、管理コンピュータ１１は、図１０のシステムログイン画面Ｄ２をディスプレイ２５に表示する。各データを入力した後、実行ボタンをクリックすると、管理コンピュータ１１は、そのアルミニウム板１４を識別（特定）する板識別番号（板識別子）を決定（生成）し、中間ユーザ名を識別（特定）する中間ユーザ識別番号（中間ユーザ識別子）を決定（生成）するとともに、エンドユーザ名を識別（特定）するエンドユーザ識別番号（エンドユーザ識別子）を決定（生成）し、印刷機器名を識別（特定）する機器識別番号（機器識別子）を決定（生成）する（Ｓ−２）。
【００８０】
管理コンピュータ１１は、そのアルミニウム板１４の再利用可能回数を決定するとともに（Ｓ−３）、再使用済回数（０回）を設定する（Ｓ−４）。データ入力画面Ｄ３では再利用可能回数の自動設定ボタンが反転しており、板サイズや印刷機名、折曲回数を入力すると、板サイズや印刷機名、折曲回数とそれらから決定されるアルミニウム板１４の再使用可能回数との相関関係に基づいて、管理コンピュータ１１がそのアルミニウム板１４の再利用可能回数を自動的に決定する。アルミニウム板１４の再利用可能回数は、原則として６〜１０回である。なお、再利用可能回数入力エリアに再利用可能回数を入力することで、再利用可能回数を任意かつ自由に決定することもできる（再利用可能回数変更手段、再利用可能回数変更プロセス）。
【００８１】
次に、管理コンピュータ１１は、図１２のデータ確認画面Ｄ４をディスプレイ２５に表示する（Ｓ−５）。データ確認画面Ｄ４には、図１２に示すように、中間ユーザ名表示エリアに中間ユーザ名、中間ユーザ識別番号表示エリアに中間ユーザ識別番号、エンドユーザ名表示エリアにエンドユーザ名、エンドユーザ識別番号表示エリアにエンドユーザ識別番号、印刷機名表示エリアに印刷機名、印刷機識別番号表示エリアに印刷機識別番号、板識別番号表示エリアに板識別番号、板サイズ第１表示エリアに板の縦寸法および横寸法、板サイズ第２表示エリアに板の厚み寸法、再利用可能回数表示エリアに再使用可能回数、再使用済回数表示エリアに再使用済回数（０回）が表示され、確認ボタン、キャンセルボタン、変更ボタンが表示される。
【００８２】
それら表示エリアに表示された各データに誤りがなく、変更の必要がない場合は、確認ボタンをクリックする。確認ボタンをクリックすると、管理コンピュータ１１は、データの変更なしと判断し（Ｓ−６）、そのアルミニウム板１４の１回の再使用における二酸化炭素削減量を算出する（二酸化炭素削減量算出手段、二酸化炭素削減量算出プロセス）（Ｓ−７）。管理コンピュータ１１は、アルミニウム板１４の各サイズを変数とし、そのアルミニウム板１４が１回再使用された場合の二酸化炭素削減量を以下の算出式によって求める。二酸化炭素削減量の算出式の一例は、二酸化炭素削減量（Ｋｇ）＝｛ａ（２４．８８８６×ｂ×ｃ―４４．２）｝／１，０００，０００である。
【００８３】
前記算出式は、社団法人日本アルミニウム協会による平成１７年３月２３日発表のＬＣＩデータ概要に準拠している。算出式のうち、ａは、アルミニウム板１４の横方向（感光層剥離工程でコンベアの流れる方向）の長さ寸法（ｍｍ）、ｂは、アルミニウム板１４の縦方向の長さ寸法（ｍｍ）、ｃは、アルミニウム板１４の厚さ寸法（ｍｍ）である。
【００８４】
管理コンピュータ１１は、二酸化炭素削減量を算出した後、決定した板識別番号（各アルミニウム板１４に個別に表示されるバーコードに対応した板識別番号）をハードディスクに格納する（板識別子記憶手段、板識別子記憶プロセス）（Ｓ−８）。さらに、入力された各データを板識別番号に関連付けた状態でハードディスクに格納する（Ｓ−９）。具体的に管理コンピュータ１１は、アルミニウム板１４の再使用可能回数を板識別番号に関連付けた状態でハードディスクに格納し（再使用可能回数記憶手段、再使用可能回数記憶プロセス）、アルミニウム板１４の１回の再使用における二酸化炭素削減量を板識別番号に関連付けた状態でハードディスクに格納する二酸化炭素削減量記憶手段（二酸化炭素削減量記憶プロセス）。
【００８５】
管理コンピュータ１１は、アルミニウム板１４の板サイズを板識別番号に関連付けた状態でハードディスクに格納し（板サイズ記憶手段、板サイズ記憶プロセス）、アルミニウム板１４の最初の出荷日時を板識別番号に関連付けた状態でハードディスクに格納するとともに（出荷日時記憶手段、出荷日時記憶プロセス）、中間ユーザ情報を板識別番号に関連付けた状態でハードディスクに格納する（中間ユーザ情報記憶手段、中間ユーザ情報記憶プロセス）。さらに、エンドユーザ情報を板識別番号に関連付けた状態でハードディスクに格納し（エンドユーザ情報記憶手段、エンドユーザ情報記憶プロセス）、機器情報を板識別番号に対応させた状態（板識別子に関連付けた状態）でハードディスクに格納する（機器情報記憶手段、機器情報記憶プロセス）。
【００８６】
図１２のデータ確認画面Ｄ４においてキャンセルボタンをクリックすると、管理コンピュータ１１は、図１０のシステムログイン画面Ｄ２をディスプレイ２５に表示する。データ確認画面Ｄ４において変更ボタンをクリックすると、管理コンピュータ１１は、データの変更ありと判断し（Ｓ−６）、それらデータを記憶せずに図１１のデータ入力画面Ｄ３をディスプレイ２５に表示し、各データを再度入力させ、ステップ２（Ｓ−２）からの手順を繰り返す。ステップ９（Ｓ−９）において各データを格納した後、管理コンピュータ１１は、決定した板識別番号を表すバーコードを生成するとともに（Ｓ−１０）、図１３のバーコード表示開始画面Ｄ５をディスプレイ２５に表示する。
【００８７】
バーコード表示開始画面Ｄ５には、図１３に示すように、生成したバーコードとともに、開始ボタン、キャンセルボタンが表示される。図１３のバーコード表示開始画面Ｄ５においてキャンセルボタンをクリックすると、管理コンピュータ１１は、図１０のシステムログイン画面Ｄ２をディスプレイ２５に表示する。バーコード表示開始画面Ｄ５において開始ボタンをクリックすると、管理コンピュータ１１は、生成したバーコードとバーコードのマーキング指令とをＹＡＧレーザー照射装置１７に出力する（バーコード表示手段、バーコード表示プロセス）。ＹＡＧレーザー照射装置１７は、マーキング指令に基づいてアルミニウム板１４の裏面１５に管理コンピュータ１１において生成されたバーコードをマーキングする。ＹＡＧレーザー照射装置１７によるバーコードのマーキング時には、アルミニウム板１４がレーザー照射装置１７にセットされている。
【００８８】
なお、バーコードを印刷したバーコードラベルをアルミニウム板１４に貼付する場合、管理コンピュータ１１は、生成したバーコードとバーコードラベルの作成指令とをバーコードラベル作成装置に出力する（バーコード表示手段、バーコード表示プロセス）。バーコードラベル作成装置は、作成指令に基づいて管理コンピュータ１１において生成されたバーコードを印刷したバーコードラベルを作成する。作成されたバーコードラベルは、アルミニウム板１４の裏面１５に貼付される。
【００８９】
ＹＡＧレーザー照射装置１７によるバーコードのマーキングが終了すると、管理コンピュータ１１は、図１４のバーコード表示完了画面Ｄ６をディスプレイ２５に表示する。バーコード表示完了画面Ｄ６には、図１４に示すように、バーコード表示完了メッセージとともに完了ボタンが表示される。アルミニウム板１４をＹＡＧレーザー照射装置１７から取り外した後、バーコード表示完了画面Ｄ６において完了ボタンをクリックすると、管理コンピュータ１１は、図１５のバーコード読み取り指示画面Ｄ７をディスプレイ２５に表示する。バーコード読み取り指示画面Ｄ７には、図１５に示すように、開始ボタンと終了ボタンとが表示される。
【００９０】
図１５のバーコード読み取り指示画面Ｄ７において終了ボタンをクリックすると、管理コンピュータ１１は、バーコード１６の読み取りなしと判断し（Ｓ−１２）、図１０のシステムログイン画面Ｄ２をディスプレイ２５に表示する。バーコード読み取り指示画面Ｄ７において開始ボタンをクリックすると、管理コンピュータ１１は、バーコード１６を読み取りありと判断し（Ｓ−１２）、図示はしていないが、アルミニウム板１４の裏面１５に表示されたバーコード１６の読み取り指示メッセージをディスプレイ２５に表示する。バーコードスキャナ１８を介してアルミニウム板１４のバーコード１６が読み込まれると、バーコードスキャナ１８はバーコード１６が表すアナログ信号（板識別番号）をデジタル信号（板識別番号）に変換し、そのデジタル信号を管理コンピュータ１１に出力する。
【００９１】
管理コンピュータ１１は、バーコードスキャナ１８から出力されたデジタル信号に基づいてそのバーコード１６が表す板識別番号を読み取る。管理コンピュータ１１は、板識別番号を読み取ると、図１６のバーコード読み取り完了画面Ｄ８をディスプレイ２５に表示する。バーコード読み取り完了画面Ｄ８には、図１６に示すように、バーコード読み取り完了メッセージとともに、読み取ったバーコード、確認ボタンが表示される。なお、バーコードが読み取れなかった場合、図示はしていないが、管理コンピュータ１１は、バーコード１６の再読み取り指示メッセージをディスプレイ２５に表示する。
【００９２】
図１６のバーコード読み取り完了画面Ｄ８において確認ボタンをクリックすると、管理コンピュータ１１は、バーコード１６が表す板識別番号をハードディスクに格納する（Ｓ−１３）。管理コンピュータ１１は、バーコード１６が表すアルミニウム板１４の板識別番号を検索し、その板識別番号をハードディスクから抽出しての板識別番号に対応するアルミニウム板１４を特定するとともに（板特定手段、板特定プロセス）（Ｓ−１４）、その板識別番号に対応する再使用済回数と再使用可能回数とを抽出する。
【００９３】
管理コンピュータ１１は、その板識別番号のアルミニウム板１４の再使用済回数（Ｂ）が（０）であるか否かを判断する（Ｓ−１５）。アルミニウム板１４が初めて使用されるそれであるから、再使用済回数（Ｂ）が（０）であり、管理コンピュータ１１は、再使用済回数（Ｂ）＝（０）と判断する（アルミニウム板１４が再使用可能であると判断する）（再使用可否判断手段、再使用可否判断プロセス）。使用回数（Ｂ）が（０）である場合、管理コンピュータ１１は、その板識別番号に対応するアルミニウム板１４の各種データのデータ詳細画面Ｄ９をディスプレイ２５に表示する（Ｓ−１６）。
【００９４】
具体的に管理コンピュータ１１は、板識別番号に対応するアルミニウム板１４の再使用可能回数を出力し（再使用可能回数出力手段、再使用可能回数出力プロセス）、そのアルミニウム板１４の再使用済回数を出力するとともに（再使用済回数出力手段、再使用済回数出力プロセス）、そのアルミニウム板１４の再使用可否情報を出力する（再使用可否情報出力手段、再使用可否情報出力プロセス）。さらに、そのアルミニウム板１４の板サイズを出力し（板サイズ出力手段、板サイズ出力プロセス）、そのアルミニウム板１４の出荷日時を出力するとともに（出荷日時出力手段、出荷日時出力プロセス）、そのアルミニウム板１４の１回の再使用における二酸化炭素削減量を出力する（二酸化炭素削減量出力手段、二酸化炭素削減量出力プロセス）。
【００９５】
データ詳細画面Ｄ９には、図１７に示すように、中間ユーザ名表示エリアに中間ユーザ名、中間ユーザ識別番号表示エリアに中間ユーザ識別番号、エンドユーザ名表示エリアにエンドユーザ名、エンドユーザ識別番号表示エリアにエンドユーザ識別番号、印刷機名表示エリアに印刷機名、印刷機識別番号表示エリアに印刷機識別番号、板識別番号表示エリアに板識別番号、板サイズ第１表示エリアに板の縦寸法および横寸法、板サイズ第２表示エリアに板の厚み寸法、出荷日時表示エリアに出荷日時が表示され、再使用可能回数表示エリアに再使用可能回数、再使用済回数表示エリアに再使用済回数（０回）、再使用１回における二酸化炭素削減量表示エリアに二酸化炭素の削減量、二酸化炭素積算削減量表示エリアに二酸化炭素積算削減量が表示される（第１積算削減量出力手段、第１積算削減量出力プロセス）。さらに、中間ユーザ別詳細ボタン、エンドユーザ別詳細ボタン、印刷機別詳細ボタン、確認ボタン、キャンセルボタンが表示される。なお、再使用可能回数表示エリアには変更ボタンが表示される。エンドユーザが存在しない場合は、エンドユーザ名表示エリアやエンドユーザ識別番号表示エリアがブランクになる。
【００９６】
図１７のデータ詳細画面Ｄ９によって、各アルミニウム板１４の再使用１回における二酸化炭素削減量を知ることができるとともに、各アルミニウム板１４の二酸化炭素積算削減量を知ることができ、その削減量や積算削減量を利用して各アルミニウム板１４毎の実績を評価することができる。図１７のデータ詳細画面Ｄ９においてキャンセルボタンをクリックすると、管理コンピュータ１１は、図１５のバーコード読み取り指示画面Ｄ７をディスプレイ２５に表示する。なお、図１７のデータは、プリンタを介して出力することができる。
【００９７】
図１７のデータ詳細画面Ｄ９において中間ユーザ別詳細ボタンをクリックすると、管理コンピュータ１１は、データ詳細画面Ｄ９に表示されたアルミニウム板１４を使用する中間ユーザの中間ユーザ別データ詳細画面Ｄ１０をディスプレイ２５に表示する。中間ユーザ別データ詳細画面Ｄ１０には、図１８に示すように、中間ユーザ名表示エリアに中間ユーザ名、中間ユーザ識別番号表示エリアに中間ユーザ識別番号、印刷機名表示エリアに印刷機名、印刷機識別番号表示エリアに印刷機識別番号、期間表示エリアに期間、再使用枚数表示エリアに再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量が表示され（第２積算削減量出力手段、第２積算削減量出力プロセス）、確認ボタン、戻るボタンが表示される。
【００９８】
図１８の中間ユーザ別データ詳細画面Ｄ１０によって、中間ユーザにおけるアルミニウム板１４の再使用枚数やアルミニウム板１４の再使用１回における二酸化炭素削減量、中間ユーザにおける二酸化炭素積算削減量、中間ユーザにおける１日当たりの二酸化炭素削減量を知ることができ、再使用枚数や二酸化炭素削減量、二酸化炭素積算削減量、１日当たりの二酸化炭素削減量を利用して中間ユーザ毎の実績を評価することができる。中間ユーザ別データ詳細画面Ｄ１０において確認ボタンをクリックすると、管理コンピュータ１１は、図１５のバーコード読み取り指示画面Ｄ７をディスプレイ２５に表示する。中間ユーザ別データ詳細画面Ｄ１０において戻るボタンをクリックすると、管理コンピュータ１１は、図１７のデータ詳細画面Ｄ９をディスプレイ２５に表示する。なお、図１８の中間ユーザ別データは、プリンタを介して出力することができる。
【００９９】
図１７のデータ詳細画面Ｄ９においてエンドユーザ別詳細ボタンをクリックすると、管理コンピュータ１１は、データ詳細画面Ｄ９に表示されたアルミニウム板１４を使用する中間ユーザから印刷物の提供を受ける（印刷物の発注者）エンドユーザ別データ詳細画面Ｄ１１をディスプレイ２５に表示する。エンドユーザ別データ詳細画面Ｄ１１には、図１９に示すように、エンドユーザ名表示エリアにエンドユーザ名、エンドユーザ識別番号表示エリアにエンドユーザ識別番号、期間表示エリアに期間、再使用枚数表示エリアに再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量が表示され（第３積算削減量出力手段、第３積算削減量出力プロセス）、確認ボタン、戻るボタンが表示される。
【０１００】
図１９のエンドユーザ別データ詳細画面Ｄ１１によって、エンドユーザにおけるアルミニウム板１４の再使用枚数やアルミニウム板１４の再使用１回における二酸化炭素削減量、エンドユーザにおける二酸化炭素積算削減量、エンドユーザにおける１日当たりの二酸化炭素削減量を知ることができ、再使用枚数や二酸化炭素削減量、二酸化炭素積算削減量、１日当たりの二酸化炭素削減量を利用してエンドユーザ毎の実績を評価することができる。エンドユーザ別データ詳細画面Ｄ１１において確認ボタンをクリックすると、管理コンピュータ１１は、図１５のバーコード読み取り指示画面Ｄ７をディスプレイ２５に表示する。エンドユーザ別データ詳細画面Ｄ１１において戻るボタンをクリックすると、管理コンピュータ１１は、図１７のデータ詳細画面Ｄ９をディスプレイ２５に表示する。なお、図１９のエンドユーザ別データは、プリンタを介して出力することができる。
【０１０１】
図１７のデータ詳細画面Ｄ９において印刷機別詳細ボタンをクリックすると、管理コンピュータ１１は、データ詳細画面Ｄ９に表示されたアルミニウム板１４の中間ユーザにおける印刷機別の印刷機別データ詳細画面Ｄ１２をディスプレイ２５に表示する。印刷機別データ詳細画面Ｄ１２には、図２０に示すように、中間ユーザ名表示エリアに中間ユーザ名、中間ユーザ識別番号表示エリアに中間ユーザ識別番号、印刷機名表示エリアに印刷機名、印刷機識別番号表示エリアに印刷機識別番号、期間表示エリアに期間、アルミニウム板再使用枚数表示エリアにその期間における印刷機のアルミニウム板の再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量が表示され（第４積算削減量出力手段、第４積算削減量出力プロセス）、確認ボタン、戻るボタンが表示される。
【０１０２】
図２０の印刷機別データ詳細画面Ｄ１２によって、中間ユーザにおける印刷機毎のアルミニウム板１４の再使用枚数やアルミニウム板１４の再使用１回における二酸化炭素削減量、印刷機毎の二酸化炭素積算削減量、印刷機毎の１日当たりの二酸化炭素削減量を知ることができ、再使用枚数や二酸化炭素削減量、二酸化炭素積算削減量、１日当たりの二酸化炭素削減量を利用して印刷機毎の実績を評価することができる。印刷機別データ詳細画面Ｄ１２において確認ボタンをクリックすると、管理コンピュータ１１は、図１５のバーコード読み取り指示画面Ｄ７をディスプレイ２５に表示する。印刷機別データ詳細画面Ｄ１２において戻るボタンをクリックすると、管理コンピュータ１１は、図１７のデータ詳細画面Ｄ９をディスプレイ２５に表示する。なお、図２０の印刷機毎の別データは、プリンタを介して出力することができる。
【０１０３】
図１７のデータ詳細画面Ｄ９において再使用可能回数に変更がある場合は、再使用可能回数表示エリアの変更ボタンをクリックする。変更ボタンをクリックすると、管理コンピュータ１１は、再使用可能回数に変更有りと判断し（Ｓ−１７）、再使用可能回数表示エリアに表示された再使用可能回数を消去する。再使用可能回数を変更するには、入力装置を介してその表示エリアにあらたな再使用可能回数を入力し、確認ボタンをクリックする。確認ボタンをクリックすると、管理コンピュータ１１は、再使用可能回数をあらたに入力されたそれに変更し（再使用可能回数変更手段、再使用可能回数変更プロセス）（Ｓ−１８）、変更した再使用可能回数をアルミニウム板１４の板識別番号に関連付けた状態でハードディスクに格納する（再使用可能回数記憶手段、再使用可能回数記憶プロセス）。このシステム１０は、アルミニウム板１４の管理状況や再使用時の加工状況等によって、当初の再使用可能回数を変更しなければならなくなったとしても、それに対応することができ、アルミニウム板１４の状態によって再使用可能回数を自由に変更することができる。
【０１０４】
再使用可能回数に変更がない場合は、図１７のデータ詳細画面Ｄ９において確認ボタンをクリックする。確認ボタンをクリックすると、管理コンピュータ１１は、再使用可能回数の変更なしと判断し（Ｓ−１７）、図２１の再使用確認画面Ｄ１３をディスプレイ２５に表示する。再使用確認画面Ｄ１３には、図２１に示すように、板識別番号表示エリアに板識別番号、再使用可能回数表示エリアに再使用可能回数、再使用済回数表示エリアに再使用済回数、再使用可能メッセージが表示され、ＹＥＳチェックボックス、ＮＯチェックボックス、終了チェックボックス、実行ボタン、クリアボタンが表示される。
【０１０５】
アルミニウム板１４を直ちに再使用せず、後日再使用する場合は、図２１の再使用確認画面Ｄ１３においてＮＯのチェックボックスにチェックマークを入れ、実行ボタンをクリックする。ＮＯのチェックボックスにチェックマークを入れて実行ボタンをクリックすると、図示はしていないが、管理コンピュータ１１は、現時点においてアルミニウム板１４を再使用しないと判断し（Ｓ−１９）、図１０のシステムログイン画面Ｄ２をディスプレイ２５に表示する。
【０１０６】
アルミニウム板１４の再使用を終了する場合は、図２１の再使用確認画面Ｄ１３において終了のチェックボックスにチェックマークを入れ、実行ボタンをクリックする。終了のチェックボックスにチェックマークを入れて実行ボタンをクリックすると、図示はしていないが、管理コンピュータ１１は、キャンセルボタン、確認ボタンをディスプレイ２５に表示する。その画面においてキャンセルボタンをクリックすると、管理コンピュータ１１は、図２１の再使用確認画面Ｄ１３をディスプレイ２５に表示する。確認ボタンをクリックすると、管理コンピュータ１１は、使用済回数が再使用可能回数に達していなくても、換言すれば、そのアルミニウム板１４の再使用が可能であるとしても、そのアルミニウム板１４の再度の使用を終了（中止）すると判断し、図１０のシステムログイン画面Ｄ２をディスプレイ２５に表示する。
【０１０７】
アルミニウム板１４の再使用の終了は、アルミニウム板１４が再使用可能であるにもかかわらず、たとえばアルミニウム板１４の損傷や汚れ等の事情により、アルミニウム板１４を今後再使用しない場合に選択する。再使用終了が確定すると、管理コンピュータ１１は、終了対象のアルミニウム板１４に再使用終了データを設定するため、その再使用終了データを板識別番号に関連付けた状態でハードディスクに格納する。再使用終了データが設定されたアルミニウム板１４は、以後の再使用が不可となる。
【０１０８】
アルミニウム板１４を再使用する場合は、図２１の再使用確認画面Ｄ１３においてＹＥＳのチェックボックスにチェックマークを入れ、実行ボタンをクリックする。ＹＥＳのチェックボックスにチェックマークを入れて実行ボタンをクリックすると、管理コンピュータ１１は、現時点においてアルミニウム板１４を再使用すると判断し（Ｓ−１９）、そのアルミニウム板１４の使用済回数に１回を加算し（Ｓ−２０）、加算した使用済回数をそのアルミニウム板１４の板識別番号に関連付けた状態でハードディスクに格納する（再使用済回数更新手段、再使用済回数更新プロセス）。
【０１０９】
管理コンピュータ１１は、そのアルミニウム板１４の二酸化炭素削減量を積算し、積算したアルミニウム板１４の第１積算削減量を板識別番号に関連付けた状態でハードディスクに格納し第１積算削減量更新手段（第１積算削減量更新プロセス）（Ｓ−２１）、板識別番号と中間ユーザ識別子とに基づいて中間ユーザ名のアルミニウム板１４を特定しつつ、中間ユーザ名の二酸化炭素削減量を積算し、積算した中間ユーザ名の第２積算削減量を中間ユーザ識別番号に関連付けた状態でハードディスクに格納する（第２積算削減量更新手段、第２積算削減量更新プロセス）（Ｓ−２１）。
【０１１０】
管理コンピュータ１１は、板識別番号とエンドユーザ識別子とに基づいてエンドユーザ名のアルミニウム板１４を特定しつつ、エンドユーザ名の二酸化炭素削減量を積算し、積算したエンドユーザ名の第３積算削減量をエンドユーザ識別番号に関連付けた状態でハードディスクに格納し（第３積算削減量更新手段、第３積算削減量更新プロセス）（Ｓ−２１）、板識別番号と機器識別番号とに基づいて機器名のアルミニウム板１４を特定しつつ、機器名の二酸化炭素削減量を積算し、積算した機器名の第４積算削減量を機器識別番号に関連付けた状態でハードディスクに格納する（第４積算削減量更新手段、第４積算削減量更新プロセス）（Ｓ−２１）。
【０１１１】
次に、管理コンピュータ１１は、アルミニウム板１４の中間ユーザへの搬送確認画面Ｄ１４をディスプレイ２５に表示する（Ｓ−２２）。搬送確認画面Ｄ１４には、図２２に示すように、中間ユーザ名表示エリアに中間ユーザ名、中間ユーザ識別番号表示エリアに中間ユーザ識別番号、板識別番号表示エリアに板識別番号、中間ユーザへの搬送メッセージ、搬送確認ボタン、キャンセルボタンが表示される。キャンセルボタンをクリックすると、管理コンピュータ１１は、図２１の再使用確認画面Ｄ１３をディスプレイ２５に表示する。確認ボタンをクリックすると、管理コンピュータ１１は、図１０のシステムログイン画面Ｄ２をディスプレイ２５に表示する。
【０１１２】
アルミニウム板１４が既に１回以上使用された場合、または、バーコード１６の表示が行われた後のアルミニウム板１４において、図１０のシステムログイン画面Ｄ２や図２１の再使用確認画面Ｄ１３においてシステム１０を中断した場合について説明する。この場合、アルミニウム板１４の裏面１５には、既にバーコード１６が刻印（表示）されている。図９の初期画面Ｄ１においてスタートボタンをクリックし、図１０のシステムログイン画面Ｄ２を表示させる。システムログイン画面Ｄ２においてＹＥＳのチェックボックスにチェックマークを入れ、実行ボタンをクリックする。実行ボタンをクリックすると、管理コンピュータ１１は、アルミニウム板１４にバーコード１６が表示されていると判断し（Ｓ−１）、図１５のバーコード読み取り指示画面Ｄ７をディスプレイ２５に表示する。
【０１１３】
図１５のバーコード読み取り指示画面Ｄ７において終了ボタンをクリックすると、管理コンピュータ１１は、バーコード１６の読み取りなしと判断し（Ｓ−１２）、図１０のシステムログイン画面Ｄ２をディスプレイ２５に表示する。この場合、システムログイン画面Ｄ２のキャンセルボタンをクリックする。キャンセルボタンをクリックすると、管理コンピュータ１１は、図９の初期画面Ｄ１をディスプレイ２５に表示する。
【０１１４】
図１５のバーコード読み取り指示画面Ｄ７において開始ボタンをクリックすると、管理コンピュータ１１は、バーコード１６を読み取りありと判断し（Ｓ−１２）、アルミニウム板１４の裏面１５に表示されたバーコード１６の読み取り指示メッセージをディスプレイ２５に表示する。バーコードスキャナ１８を介してアルミニウム板１４のバーコード１６が読み込まれると、バーコードスキャナ１８はバーコード１６が表すアナログ信号（板識別番号）をデジタル信号（板識別番号）に変換し、そのデジタル信号を管理コンピュータ１１に出力する。
【０１１５】
管理コンピュータ１１は、バーコードスキャナ１８から出力されたデジタル信号に基づいてそのバーコード１６が表す板識別番号を読み取る。管理コンピュータ１１は、板識別番号を読み取ると、図１６のバーコード読み取り完了画面Ｄ８をディスプレイ２５に表示する。なお、バーコード１６が読み取れなかった場合、図示はしていないが、管理コンピュータ１１は、バーコード１６の再読み取り指示メッセージをディスプレイ２６に表示する。図１６のバーコード読み取り完了画面Ｄ８において確認ボタンをクリックすると、管理コンピュータ１１は、バーコード１６が表す板識別番号をハードディスクに格納する（Ｓ−１３）。管理コンピュータ１１は、バーコード１６が表すアルミニウム板１４の板識別番号を検索し、その板識別番号をハードディスクから抽出しての板識別番号に対応するアルミニウム板１４を特定するとともに（板特定手段、板特定プロセス）（Ｓ−１４）、その板識別番号に対応する再使用済回数と再使用可能回数とを抽出する。
【０１１６】
管理コンピュータ１１は、その板識別番号のアルミニウム板１４の再使用済回数（Ｂ）が（０）であるか否かを判断する（Ｓ−１５）。アルミニウム板１４が既に１回以上使用されたそれであるから、再使用済回数（Ｂ）が（０）ではなく、管理コンピュータ１１は、再使用済回数（Ｂ）≠（０）と判断する。次に、管理コンピュータ１１は、再使用済回数（Ｂ）が再使用可能回数（Ａ）に達しているかを判断する回数比較手段（回数比較プロセス）（Ｓ−２３）。管理コンピュータ１１は、板識別番号からその識別番号に対応するアルミニウム板１４の再使用済回数（Ｂ）と再使用可能回数（Ａ）とをハードディスクから抽出し、再使用済回数（Ｂ）と再使用可能回数（Ａ）とを比較し、アルミニウム板１４が再使用可能であるかまたは再使用不能であるかを判断する（再使用可否判断手段、再使用可否判断プロセス）。再使用済回数（Ｂ）が再使用可能回数（Ａ）未満である場合、管理コンピュータ１１は、その板識別番号に対応するアルミニウム板１４の各種データのデータ詳細画面Ｄ９をディスプレイ２５に表示する（図１７参照）（Ｓ−２４）。
【０１１７】
その後、管理コンピュータ１１は、アルミニウム板１４の再使用可能回数の変更の有無を判断し（Ｓ−１７）、再使用可能回数の変更ありの場合、再使用可能回数をあらたに入力されたそれに変更し（再使用可能回数変更手段、再使用可能回数変更プロセス）（Ｓ−１８）、変更した再使用可能回数をアルミニウム板１４の板識別番号に関連付けた状態でハードディスクに格納する（再使用可能回数記憶手段、再使用可能回数記憶プロセス）。再使用可能回数に変更がない場合は、図１７のデータ詳細画面Ｄ９において確認ボタンをクリックする。確認ボタンをクリックすると、管理コンピュータ１１は、再使用可能回数の変更なしと判断するとともに（Ｓ−１７）、図２１の再使用確認画面Ｄ１３をディスプレイ２５に表示する。
【０１１８】
アルミニウム板１４を直ちに再使用せず、後日再使用する場合は、図２１の再使用確認画面Ｄ１３においてＮＯのチェックボックスにチェックマークを入れ、実行ボタンをクリックする。ＮＯのチェックボックスにチェックマークを入れて実行ボタンをクリックすると、図示はしていないが、管理コンピュータ１１は、現時点においてアルミニウム板１４を再使用しないと判断し（Ｓ−１９）、図１０のシステムログイン画面Ｄ２をディスプレイ２５に表示する。
【０１１９】
アルミニウム板１４の再使用を終了する場合は、図２１の再使用確認画面Ｄ１３において終了のチェックボックスにチェックマークを入れ、実行ボタンをクリックする。終了のチェックボックスにチェックマークを入れて実行ボタンをクリックすると、図示はしていないが、管理コンピュータ１１は、キャンセルボタン、確認ボタンをディスプレイ２５に表示する。確認ボタンをクリックすると、管理コンピュータ１１は、使用済回数が再使用可能回数に達していなくても、そのアルミニウム板１４の再度の使用を終了（中止）すると判断し、図１０のシステムログイン画面Ｄ２をディスプレイ２５に表示する。管理コンピュータ１１は、終了対象のアルミニウム板１４に再使用終了データを設定するため、その再使用終了データを板識別番号に関連付けた状態でハードディスクに格納する。
【０１２０】
アルミニウム板１４を再使用する場合は、図２１の再使用確認画面Ｄ１３においてＹＥＳのチェックボックスにチェックマークを入れ、実行ボタンをクリックする。ＹＥＳのチェックボックスにチェックマークを入れて実行ボタンをクリックすると、管理コンピュータ１１は、現時点においてアルミニウム板１４を再使用すると判断し（Ｓ−１９）、そのアルミニウム板１４の使用済回数に１回を加算し（Ｓ−２０）、加算した使用済回数をそのアルミニウム板１４の板識別番号に関連付けた状態でハードディスクに格納する（再使用済回数更新手段、再使用済回数更新プロセス）。
【０１２１】
管理コンピュータ１１は、そのアルミニウム板１４の二酸化炭素削減量を積算し、積算したアルミニウム板１４の第１積算削減量を板識別番号に関連付けた状態でハードディスクに格納し第１積算削減量更新手段（第１積算削減量更新プロセス）（Ｓ−２１）、板識別番号と中間ユーザ識別子とに基づいて中間ユーザ名のアルミニウム板１４を特定しつつ、中間ユーザ名の二酸化炭素削減量を積算し、積算した中間ユーザ名の第２積算削減量を中間ユーザ識別番号に関連付けた状態でハードディスクに格納する（第２積算削減量更新手段、第２積算削減量更新プロセス）（Ｓ−２１）。
【０１２２】
管理コンピュータ１１は、板識別番号とエンドユーザ識別子とに基づいてエンドユーザ名のアルミニウム板１４を特定しつつ、エンドユーザ名の二酸化炭素削減量を積算し、積算したエンドユーザ名の第３積算削減量をエンドユーザ識別番号に関連付けた状態でハードディスクに格納し（第３積算削減量更新手段、第３積算削減量更新プロセス）（Ｓ−２１）、板識別番号と機器識別番号とに基づいて機器名のアルミニウム板１４を特定しつつ、機器名の二酸化炭素削減量を積算し、積算した機器名の第４積算削減量を機器識別番号に関連付けた状態でハードディスクに格納する（第４積算削減量更新手段、第４積算削減量更新プロセス）（Ｓ−２１）。
【０１２３】
次に、管理コンピュータ１１は、アルミニウム板１４の中間ユーザへの搬送確認画面Ｄ１４をディスプレイ２５に表示する（図２２参照）（Ｓ−２２）。搬送確認画面Ｄ１４においてキャンセルボタンをクリックすると、管理コンピュータ１１は、図２１の再使用確認画面Ｄ１３をディスプレイ２５に表示する。搬送確認画面Ｄ１４において確認ボタンをクリックすると、管理コンピュータ１１は、図１０のシステムログイン画面Ｄ２をディスプレイ２５に表示する。
【０１２４】
管理コンピュータ１１は、ステップ１２（Ｓ−１２）において、バーコード１６の読み取りなしと判断すると、システム１０を停止するかまたは続行するかを判断する（Ｓ−２５）。システム１０を続行する場合は、ステップ１（Ｓ−１）に戻って、ステップ１（Ｓ−１）からの手順を繰り返す。管理コンピュータ１１は、ステップ２３（Ｓ−２３）において、再使用済回数（Ｂ）が再使用可能回数（Ａ）に達していると判断すると、図２３に示すように、その板識別番号のアルミニウム板１４の最終データ詳細画面Ｄ１５をディスプレイ２５に表示する（Ｓ−２４）。管理コンピュータ１１は、再使用済回数（Ｂ）が再使用可能回数（Ａ）に達したアルミニウム板１４の管理を終了する。管理コンピュータ１１は、終了対象のアルミニウム板１４に再使用終了データを設定するため、その再使用終了データを板識別番号に関連付けた状態でハードディスクに格納する。
【０１２５】
最終データ詳細画面Ｄ１５には、図２３に示すように、終了日表示エリアに終了日、期間表示エリアに期間、中間ユーザ名表示エリアに中間ユーザ名、中間ユーザ識別番号表示エリアに中間ユーザ識別番号、エンドユーザ名表示エリアにエンドユーザ名、エンドユーザ識別番号表示エリアにエンドユーザ識別番号、印刷機名表示エリアに印刷機名、印刷機識別番号表示エリアに印刷機識別番号、板識別番号表示エリアに板識別番号、板サイズ第１表示エリアに板の縦寸法および横寸法、板サイズ第２表示エリアに板の厚み寸法が表示され、再使用可能回数表示エリアに再使用可能回数、再使用済回数表示エリアに再使用済回数（０回）、再使用１回における二酸化炭素削減量表示エリアに二酸化炭素の削減量、二酸化炭素積算削減量表示エリアに二酸化炭素積算削減量が表示される（第１積算削減量出力手段、第１積算削減量出力プロセス）。さらに、中間ユーザ別詳細ボタン、エンドユーザ別詳細ボタン、印刷機別詳細ボタン、確認ボタンが表示される。なお、再使用可能回数表示エリアには変更ボタンが表示される。なお、エンドユーザが存在しない場合は、エンドユーザ名表示エリアやエンドユーザ識別番号表示エリアがブランクになる。
【０１２６】
図２３の最終データ詳細画面Ｄ１５によって、各アルミニウム板１４の再使用１回における二酸化炭素削減量を知ることができるとともに、そのアルミニウム板１４の終了日時における二酸化炭素積算削減量を知ることができ、その削減量や積算削減量を利用してアルミニウム板１４の終了日時における実績を評価することができる。最終データ詳細画面Ｄ１５において確認ボタンをクリックすると、管理コンピュータ１１は、図１０のシステムログイン画面Ｄ２をディスプレイ２５に表示する。なお、図２３の最終データは、プリンタを介して出力することができる。最終データ詳細画面Ｄ１５において中間ユーザ別詳細ボタンをクリックすると、図１８の中間ユーザ別データ詳細画面Ｄ１０をディスプレイ２５に表示し、エンドユーザ別詳細ボタンをクリックすると、図１９のエンドユーザ別データ詳細画面Ｄ１１をディスプレイ２５に表示するとともに、印刷機別詳細ボタンをクリックすると、図２０の印刷機別データ詳細画面Ｄ１２をディスプレイ２５に表示する。
【０１２７】
図１０のシステムログイン画面Ｄ２において中間ユーザ別ボタンをクリックすると、管理コンピュータ１１は、図２４の中間ユーザ名表示画面Ｄ１６をディスプレイ２５に表示する。中間ユーザ名表示画面Ｄ１６には、図２４に示すように、中間ユーザ名表示エリアに複数の中間ユーザ名と終了または継続とが表示され、表示ボタン、クリアボタン、キャンセルボタンが表示される。終了は期間が終了した中間ユーザを示し、継続は期間が継続中の中間ユーザを示す。中間ユーザ名表示エリアに表示された中間ユーザ名から表示が必要な中間ユーザ名を指定し（必要な中間ユーザ名を反転）、表示ボタンをクリックすると、管理コンピュータ１１は、指定された中間ユーザの中間ユーザ別データ詳細画面Ｄ１７をディスプレイ２５に表示する。クリアボタンをクリックすると、中間ユーザ名の指定がクリアされる。キャンセルボタンをクリックすると、管理コンピュータ１１は、図１０のシステムログイン画面Ｄ２をディスプレイ２５に表示する。
【０１２８】
指定された中間ユーザの中間ユーザ別データ詳細画面Ｄ１７には、図２５に示すように、終了の有無表示エリアに終了の有無（終了していれば終了日時を表示）、中間ユーザ名表示エリアに中間ユーザ名、印刷機名表示エリアに印刷機名、期間表示エリアに期間、再使用枚数表示エリアに再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量、確認ボタンが表示される（第２積算削減量出力手段、第２積算削減量出力プロセス）。図２５の中間ユーザ別データは、プリンタを介して出力することができる。
【０１２９】
図１０のシステムログイン画面Ｄ２においてエンドユーザ別ボタンをクリックすると、管理コンピュータ１１は、図２６のエンドユーザ名表示画面Ｄ１８をディスプレイ２５に表示する。エンドユーザ名表示画面Ｄ１８には、図２６に示すように、エンドユーザ名表示エリアに複数のエンドユーザ名と終了または継続とが表示され、表示ボタン、クリアボタン、キャンセルボタンが表示される。終了は期間が終了したエンドユーザを示し、継続は期間が継続中のエンドユーザを示す。エンドユーザ名表示エリアに表示されたエンドユーザ名から表示が必要なエンドユーザ名を指定し（必要なエンドユーザ名を反転）、表示ボタンをクリックすると、管理コンピュータ１１は、指定されたエンドユーザのエンドユーザ別データ詳細画面Ｄ１９をディスプレイ２５に表示する。クリアボタンをクリックすると、エンドユーザ名の指定がクリアされる。キャンセルボタンをクリックすると、管理コンピュータ１１は、図１０のシステムログイン画面Ｄ２をディスプレイ２５に表示する。
【０１３０】
指定されたエンドユーザのエンドユーザ別データ詳細画面Ｄ１９には、図２７に示すように、終了の有無表示エリアに終了の有無（終了していれば終了日時を表示）、エンドユーザ名表示エリアにエンドユーザ名、期間表示エリアに期間、再使用枚数表示エリアに再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量、確認ボタンが表示される（第３積算削減量出力手段、第３積算削減量出力プロセス）。図２７のエンドユーザ別データは、プリンタを介して出力することができる。
【０１３１】
図１０のシステムログイン画面Ｄ２において印刷機別ボタンをクリックすると、管理コンピュータ１１は、図２８の印刷機名表示画面Ｄ２０をディスプレイ２５に表示する。印刷機名表示画面Ｄ２０には、図２８に示すように、印刷機名表示エリアに複数の印刷機名（中間ユーザ名を含む）と終了または継続とが表示され、表示ボタン、クリアボタン、キャンセルボタンが表示される。終了は期間が終了した印刷機を示し、継続は期間が継続中の印刷機を示す。印刷機名表示エリアに表示された印刷機名から表示が必要な印刷機名を指定し（必要な印刷機名を反転）、表示ボタンをクリックすると、管理コンピュータ１１は、指定された印刷機の印刷機別データ詳細画面Ｄ２１をディスプレイ２５に表示する。クリアボタンをクリックすると、印刷機名の指定がクリアされる。キャンセルボタンをクリックすると、管理コンピュータ１１は、図１０のシステムログイン画面Ｄ２をディスプレイ２５に表示する。
【０１３２】
指定された印刷機の印刷機別データ詳細画面Ｄ２１には、図２９に示すように、終了の有無表示エリアに終了の有無（終了していれば終了日時を表示）、中間ユーザ名表示エリアに中間ユーザ名、期間表示エリアに期間、印刷機名表示エリアに印刷機名、再使用枚数表示エリアに再使用枚数、再使用１回における二酸化炭素削減量表示エリアに二酸化炭素の削減量、二酸化炭素積算削減量表示エリアに二酸化炭素積算削減量、１日当たりの二酸化炭素削減量表示エリアに１日当たりの二酸化炭素削減量、確認ボタンが表示される（第４積算削減量出力手段（第４積算削減量出力プロセス）。図２９の印刷機別データは、プリンタを介して出力することができる。
【０１３３】
なお、システム１０にログインした中間ユーザコンピュータ１２やエンドユーザコンピュータ１３は、インターネット２８を介して管理コンピュータ１１へアクセスし、中間ユーザ別データやエンドユーザ別データの送信を要求することができる。中間ユーザコンピュータ１２やエンドユーザコンピュータ１３は、中間ユーザやエンドユーザに割り当てられたユーザ名およびパスワードを入力し、管理コンピュータ１１へ中間ユーザ別データやエンドユーザ別データの送信を要求する。
【０１３４】
中間ユーザコンピュータ１２からデータの送信を要求された管理コンピュータ１１は、中間ユーザが必要な中間ユーザデータをインターネット２８を介してＷｅｂデータとして中間ユーザコンピュータ１２に送信し、または、中間ユーザデータをＬＡＮやＷＡＮを介して電子データとして中間ユーザコンピュータ１２に送信する中間ユーザデータ送信手段（中間ユーザデータ送信プロセス）。エンドユーザコンピュータ１３からデータの送信を要求された管理コンピュータ１１は、エンドユーザが必要なエンドユーザデータをインターネット２８を介してＷｅｂデータとしてエンドユーザコンピュータ１３に送信し、または、エンドユーザデータをＬＡＮやＷＡＮを介して電子データとしてエンドユーザコンピュータ１３に送信するエンドユーザデータ送信手段（エンドユーザデータ送信プロセス）。
【０１３５】
中間ユーザコンピュータ１２は、管理コンピュータ１１から送信された中間ユーザデータをハードディスクに格納し中間ユーザデータ記憶手段（中間ユーザデータ記憶プロセス）、中間ユーザ別データ詳細画面Ｄ１７（図２５参照）をディスプレイ２６やプリンタを介して出力する中間ユーザデータ出力手段（中間ユーザデータ記憶プロセス）。エンドユーザコンピュータ１３は、管理コンピュータ１１から送信されたエンドユーザデータをハードディスクに格納しエンドユーザデータ記憶手段（エンドユーザデータ記憶プロセス）、エンドユーザ別データ詳細画面Ｄ１９（図２７参照）をディスプレイ２７やプリンタを介して出力するエンドユーザデータ出力手段（エンドユーザデータ記憶プロセス）。
【０１３６】
アルミニウム板管理システム１０およびアルミニウム板管理方法は、板識別番号に基づいて特定したアルミニウム板１４の再使用済回数が再使用可能回数未満の場合、そのアルミニウム板１４の次回の再使用を可とするから、印刷機に装着されるアルミニウム板１４の再使用時において、そのアルミニウム板１４の再使用可能回数と実際の再使用済回数とを確認しつつ、適切にアルミニウム板１４を再使用することができる。管理システム１０および管理方法は、アルミニウム板１４の再使用済回数が再使用可能回数に達している場合、そのアルミニウム板１４の次回の再使用を不可とするから、使用限界に達したアルミニウム板１４のそれ以上の再使用を事前に防ぐことができ、印刷時の各種トラブルを防ぐことができる。この管理システム１０および管理方法は、再使用可能回数の分だけアルミニウム板１４を再使用することができ、アルミニウム板１４をそれの使用限度まで繰り返して使用することができるから、１回の使用でアルミニウム板１４を廃棄する場合と比較し、アルミニウム資源の無駄を省くことができ、二酸化炭素の排出量を大幅に削減することができる。
【０１３７】
アルミニウム板管理システム１０およびアルミニウム板管理方法は、アルミニウム板１４の再使用によって削減された二酸化炭素の第１積算削減量を各アルミニウム板１４毎に把握することができ、その第１積算削減量を利用して各アルミニウム板１４毎の実績を評価することができる。この管理システム１０および管理方法は、削減された二酸化炭素排出量を第１積算削減量として具体的に表示することで、二酸化炭素排出量削減の実績を主張することができ、アルミニウム板１４を再使用することによって二酸化炭素排出量低減活動を実行していることを外部にアピールすることができる。
【０１３８】
アルミニウム板管理システム１０およびアルミニウム板管理方法は、アルミニウム板１４の再使用によって削減された二酸化炭素の第２積算削減量を各中間ユーザ毎に把握することができ、その第２積算削減量を利用して各中間ユーザ毎の実績を評価することができる。この管理システム１０および管理方法は、削減された二酸化炭素排出量を第２積算削減量として各中間ユーザ毎に具体的に表示することで、各中間ユーザが二酸化炭素排出量削減の実績を主張することができ、アルミニウム板１４を再使用することによって二酸化炭素排出量低減活動を実行していることを各中間ユーザが外部にアピールすることができる。
【０１３９】
アルミニウム板管理システム１０およびアルミニウム板管理方法は、アルミニウム板１４の再使用によって削減された二酸化炭素の第３積算削減量を各エンドユーザ毎に把握することができ、その第３積算削減量を利用して各エンドユーザ毎の実績を評価することができる。この管理システム１０および管理方法は、削減された二酸化炭素排出量を第３積算削減量として各エンドユーザ毎に具体的に表示することで、各エンドユーザが二酸化炭素排出量削減の実績を主張することができ、アルミニウム板１４を再使用することによって二酸化炭素排出量低減活動を実行していることを各エンドユーザが外部にアピールすることができる。
【０１４０】
アルミニウム板管理システム１０およびアルミニウム板管理方法は、アルミニウム板１４の再使用によって削減された二酸化炭素の第４積算削減量を各印刷機毎に把握することができ、その第４積算削減量を利用して各印刷機毎の実績を評価することができる。この管理システム１０および管理方法は、削減された二酸化炭素削減量を第３積算削減量として各印刷機毎に具体的に表示することで、二酸化炭素排出量削減の実績を主張することができ、アルミニウム板１４を再使用することによって二酸化炭素排出量低減活動を実行していることを外部にアピールすることができる。
【０１４１】
アルミニウム板管理システム１０およびアルミニウム板管理方法は、各中間ユーザに対応した第１積算削減量や第２積算削減量、第４積算削減量を中間ユーザコンピュータ１２から出力することができるから、各中間ユーザがアルミニウム板１４の再使用によって削減された二酸化炭素の積算削減量を確認することができ、それら積算削減量を利用して各中間ユーザが自己の実績を把握することができる。また、各エンドユーザに対応した第１積算削減量や第３積算削減量、第４積算削減量をエンドユーザコンピュータ１３から出力することができるから、各エンドユーザがアルミニウム板の再使用によって削減された二酸化炭素の積算削減量を確認することができ、それら積算削減量を利用して各エンドユーザが自己の実績を把握することができる。
【符号の説明】
【０１４２】
１０    アルミニウム板管理システム
１１    管理コンピュータ
１２    中間ユーザコンピュータ
１３    エンドユーザコンピュータ
１４    アルミニウム板
１５    裏面（一面）
１６    バーコード
１７    ＹＡＧレーザー照射装置
１８    バーコードリーダー
２５    ディスプレイ
２８    インターネット（ネットワーク）
３０    筋目
３１    筋目
【図１】
2012000914.tif 000003
【図２】
2012000914.tif 000004
【図３】
2012000914.tif 000005
【図４】
2012000914.tif 000006
【図５】
2012000914.tif 000007
【図６】
2012000914.tif 000008
【図７】
2012000914.tif 000009
【図８】
2012000914.tif 000010
【図９】
2012000914.tif 000011
【図１０】
2012000914.tif 000012
【図１１】
2012000914.tif 000013
【図１２】
2012000914.tif 000014
【図１３】
2012000914.tif 000015
【図１４】
2012000914.tif 000016
【図１５】
2012000914.tif 000017
【図１６】
2012000914.tif 000018
【図１７】
2012000914.tif 000019
【図１８】
2012000914.tif 000020
【図１９】
2012000914.tif 000021
【図２０】
2012000914.tif 000022
【図２１】
2012000914.tif 000023
【図２２】
2012000914.tif 000024
【図２３】
2012000914.tif 000025
【図２４】
2012000914.tif 000026
【図２５】
2012000914.tif 000027
【図２６】
2012000914.tif 000028
【図２７】
2012000914.tif 000029
【図２８】
2012000914.tif 000030
【図２９】
2012000914.tif 000031